(57)【特許請求の範囲】
【請求項１】
情報を蓄積するデータベースを有し、イベントの電子チケットの販売を仲介する電子チケット仲介サーバと、チケットを購入する購入者端末とを備える電子チケット購入方式において、
上記データベースは、販売するチケットに関する少なくともイベントが行われる施設の所在地を含むチケット販売情報を蓄積し、
上記電子チケット仲介サーバは、蓄積したチケット販売情報を中央演算処理装置により読み込み、読み込んだチケット販売情報を上記購入者端末へ中央演算処理装置により送信し、上記購入者端末からチケットの購入を依頼するチケット購入情報を中央演算処理装置により受信し、
上記購入者端末は、上記電子チケット仲介サーバから送信されたチケット販売情報を中央演算処理装置により受信し、受信したチケット販売情報に基づいて、チケットを購入することを依頼するチケット購入情報を中央演算処理装置により生成し、生成したチケット購入情報を上記チケット仲介サーバへ中央演算処理装置により送信し、
上記電子チケット仲介サーバは、上記購入者端末が送信したチケット購入情報を中央演算処理装置により受信し、上記データベースからイベントが行われる施設の所在地を含むチケット販売情報を中央演算処理装置により読み込み、受信したチケット購入情報と読み込んだチケット販売情報とに基づいて、チケットを電子化した電子チケット情報であって、イベントが行われる施設の所在地を含む電子チケット情報を中央演算処理装置により生成し、生成した電子チケット情報を、上記チケット購入情報を送信した購入者端末へ中央演算処理装置により送信し、
上記購入者端末は、上記電子チケット仲介サーバが送信した電子チケット情報を中央演算処理装置により受信して保持し、上記電子チケット情報に含まれる施設の所在地と、上記施設の場所に関する場所情報を要求する要求情報と、上記購入者端末が存在する位置とを中央演算処理装置により送信し、
上記電子チケット仲介サーバは、上記購入者端末から上記施設の所在地と上記要求情報と上記購入者端末が存在する位置とを中央演算処理装置により受信し、上記施設の所在地と上記購入者端末が存在する位置とに基づいて、上記購入者端末の位置から上記施設の所在地との間の場所情報を中央演算処理装置により取得し、取得した場所情報を中央演算処理装置により上記購入者端末へ送信して提供し、
上記電子チケット購入方式は、複数の購入者端末を備え、
上記複数の購入者端末は、同じイベントの電子チケット情報を保持し、
上記複数の購入者端末それぞれは、上記複数の購入者端末に共通する共通識別子を保持し、上記共通識別子を含む上記要求情報を中央演算処理装置により生成し、
上記電子チケット仲介サーバは、上記複数の購入者端末から上記施設の所在地と、上記共通識別子を含む要求情報と、上記複数の購入者端末それぞれが存在する複数の位置とを中央演算処理装置により受信し、受信した施設の所在地と上記複数の購入者端末それぞれが存在する複数の位置とに基づいて、上記複数の位置から上記施設の所在地との間の場所情報を中央演算処理装置により取得し、取得した場所情報と上記複数の購入者端末それぞれが存在する複数の位置とを、上記共通識別子を含む上記要求情報を送信した複数の購入者端末へ中央演算処理装置により送信して提供する
ことを特徴とする電子チケット購入方式。
【発明の詳細な説明】
【０００１】
【発明の属する技術分野】
この発明は、例えば、コンサートやイベントに参加したい個人が携帯電話を使用してポータルサイトを経由して電子チケットの購入を行うために携帯端末（携帯電話）で決済を簡単に行うためのチケット購入方式ならびに方法、チケット仲介サーバならびにチケット仲介方法に関するものである。
【０００２】
【従来の技術】
図５１は、例えば、電子チケットを使用しないでコンサートやイベントのチケットを購入する従来の手順の一例を示した図であり、３００は電話端末装置であり、４００はチケットカウンターならびに店であり、５００は予約番号を保持したユーザであり、６００はコンビニエンスストアーならびに店を示している。
【０００３】
次に、動作について説明する。
図５１で、例えば、Ｓ１は電話端末装置からチケットカウンターならびに店に対してのチケットの予約を示している。Ｓ２はチケットカウンターならびに店から電話端末装置に対してのチケット予約番号の送信を示している。Ｓ３は予約番号を取得したユーザがコンビニエンスストアに対して予約番号を提示することを示している。Ｓ４はコンビニエンスストアからチケットカウンタに対してチケット情報の要求を行うことを示している。Ｓ５はチケットカウンタからコンビニエンスストアにチケット情報が送信されることを示している。Ｓ６はコンビニエンスストアからユーザに対してチケットが発行されることを示している。
【０００４】
【発明が解決しようとする課題】
従来の電話によるチケット予約ならびに交換方式には、予約番号を提示してチケットを購入するといったわずわらしさとチケットを紙に印刷するといったコストの点で問題があった。さらに、購入したチケットをもってコンサート会場やイベント会場にいくまでには、会場の場所を確認し、交通手段を利用して会場に到着するという過程をユーザ自身が行う必要があった。
また、購入されたチケットの情報は、利用度ならびに自由度が低く、ユーザが事業者から利用することが出来なかった。さらに、チケット購入のための決済を行う方法は、決済機関とチケットカウンタならびにユーザの３者間での決済のための取り引きが複雑であり、スムーズなチケット購入を難しくしていた。
さらに、コンサート会場やイベント会場ではチケットのチェックのために、ユーザは長時間並ぶことや入場してからも席にたどりつくまで多くの時間を費やしてきた。
【０００５】
この発明は上記のような問題点を解決するためになされたもので、チケット購入・販売の手続きを簡易化することを目的とする。具体的には、従来型のチケット購入方式の決済処理の複雑さの解消、チケット購入時の個人認証の簡易化、チケット購入情報の活用、チケット情報による会場までの誘導サービス、施設入場の簡易化を目的としこれまで、チケット購入時に発生していた事業者や興行者のコストを低減する。
さらに、これまでユーザがチケットを購入するための手続きを簡易化し、また、コンサートやイベントの当日までのサービスを提供することでユーザの利用促進を図ることを可能とする。
【０００６】
【課題を解決するための手段】
この発明に係る電子チケット仲介サーバは、情報を蓄積するデータベースを備え、電子チケットの販売を仲介する電子チケット仲介サーバにおいて、
上記データベースは、販売するチケットに関するチケット販売情報を蓄積し、上記電子チケット仲介サーバは、上記データベースへ蓄積したチケット販売情報を読み込み、読み込んだチケット販売情報をチケットを購入する購入者端末へ送信し、上記購入者端末からチケットの購入を依頼するチケット購入情報を受信することを特徴とする。
【０００７】
上記電子チケット仲介サーバは、チケットの販売を希望する複数のチケット販売店端末それぞれから複数のチケット販売情報を入力し、入力した複数のチケット販売情報から購入者端末へ提供する情報を抽出し、抽出した情報を用いてチケット参照情報を生成し、生成したチケット参照情報を上記購入者端末へ送信することを特徴とする。
【０００８】
上記データベースは、さらに、上記チケット購入情報を蓄積し、
上記電子チケット仲介サーバは、上記データベースに蓄積されたチケット購入情報に基づいて、チケットの代金の支払いを決済する決済情報を生成し、購入者端末から上記決済情報の決済の許可を確認する情報を受信するとともに、決済を実施する決済機関へ生成した決済情報を送信することを特徴とする。
【０００９】
上記電子チケット仲介サーバは、上記決済情報に基づいて決済を実施する許可を求める決済許可確認情報を購入者端末へ送信し、上記決済許可確認情報に対して許可を通知する決済許可通知情報を購入者端末から受信し、受信した決済許可通知情報に基づいて、決済の実施を許可する決済許可情報を生成し、生成した決済許可情報を上記決済機関へ送信することを特徴とする。
【００１０】
上記データベースは、さらに、利用者に関する利用者情報を蓄積し、
上記チケット仲介サーバは、上記利用者情報の提供を依頼する利用者情報取得要求を受信し、受信した利用者情報取得要求に基づいて、上記データベースを検索し、検索した結果取得した利用者情報を上記利用者情取得要求を送信した送信元へ送信することを特徴とする。
【００１１】
この発明に係る電子チケット購入方式は、情報を蓄積するデータベースを有し、電子チケットの販売を仲介する電子チケット仲介サーバと、チケットを購入する購入者端末とを備える電子チケット購入方式において、
上記データベースは、販売するチケットに関するチケット販売情報を蓄積し、
上記電子チケット仲介サーバは、蓄積したチケット販売情報を読み込み、読み込んだチケット販売情報を上記購入者端末へ送信し、上記購入者端末からチケットの購入を依頼するチケット購入情報を受信し、
上記購入者端末は、上記電子チケット仲介サーバから送信されたチケット販売情報を受信し、受信したチケット販売情報に基づいて、上記チケット購入情報を生成し、生成したチケット購入情報を上記チケット仲介サーバへ送信することを特徴とする。
【００１２】
上記チケット購入方式は、さらに、チケットの販売を希望するチケットに関するチケット販売情報生成し、生成したチケット販売情報を上記チケット仲介サーバへ送信する複数のチケット販売店端末を備え、
上記電子チケット仲介サーバは、上記複数のチケット販売店端末それぞれから複数のチケット販売情報を入力し、入力した複数のチケット販売情報から購入者端末へ提供する情報を抽出し、抽出した情報を用いてチケット参照情報を生成し、生成したチケット参照情報を上記購入者端末へ送信し、
上記購入者端末は、上記チケット参照情報を受信し、受信したチケット参照情報に基づいて、上記チケット購入情報を生成することを特徴とする。
【００１３】
上記チケット購入方式は、さらに、決済を実施する決済機関を備え、
上記データベースは、さらに、上記チケット購入情報を蓄積し、
上記電子チケット仲介サーバは、上記データベースに蓄積されたチケット購入情報に基づいて、チケットの代金の支払いを決済する決済情報を生成し、利用者から上記決済情報の決済の許可を確認する情報を受信するとともに、決済を実施する決済機関へ生成した決済情報を送信し、
上記決済機関は、上記決済情報を受信し、受信した決済情報に基づいて、決済を実行することを特徴とする。
【００１４】
上記電子チケット仲介サーバは、上記決済情報に基づいて決済を実施する許可を求める決済許可確認情報を購入者端末へ送信し、上記決済許可確認情報に対して許可を通知する決済許可通知情報を購入者端末から受信し、受信した決済許可通知情報に基づいて、決済の実施を許可する決済許可情報を生成し、生成した決済許可情報を上記決済機関へ送信し、
上記購入者端末は、上記決済許可確認情報を受信し、受信した決済許可確認情報に基づいて、上記決済許可通知情報を生成し、生成した決済許可通知情報を上記電子チケット仲介サーバへ送信し、
上記決済機関は、上記決済情報と上記決済許可情報とを受信した場合に、決済を実施することを特徴とする。
【００１５】
上記データベースは、さらに、利用者に関する利用者情報を蓄積し、
上記チケット仲介サーバは、上記利用者情報の提供を依頼する利用者情報取得要求を上記チケット販売店端末から受信し、受信した利用者情報取得要求に基づいて、上記データベースを検索し、検索した結果取得した利用者情報を上記チケット販売店端末へ送信し、
上記販売店端末は、上記利用者情報取得要求を上記電子チケット仲介サーバへ送信し、上記利用者情報取得要求に対応する利用者情報を上記電子チケット仲介サーバから受信することを特徴とする。
【００１６】
上記購入者端末は、上記チケット購入情報に基づいて生成された電子チケット情報を保持し、
上記チケット購入方式は、さらに、上記購入者端末に保持されている電子チケット情報を取得し、取得した電子チケット情報を用いて、上記電子チケット情報に含まれる施設の入場者の管理を実施する入場管理装置を備えることを特徴とする。
【００１７】
上記データベースは、上記電子チケット情報を蓄積し、
上記電子チケット仲介サーバは、上記データベースに蓄積した電子チケット情報を読み込み、上記入場管理装置が取得した電子チケット情報を入力し、上記データベースに蓄積された電子チケット情報と、上記入場管理装置が取得した電子チケット情報とを照合し、照合した照合結果を上記入場者管理装置へ送信し、
上記入場者管理装置は、入力した照合結果を用いて、上記購入者端末に保持されている電子チケット情報が正当であるかを判断することを特徴とする。
【００１８】
上記購入者端末は、チケット購入情報に基づいて発券された電子チケットに含まれる電子チケット情報を保持し、上記電子チケット情報に含まれる施設の所在地と、上記施設の場所に関する場所情報を要求する要求情報とを送信し、
上記チケット購入方式は、さらに、上記購入者端末から上記施設の所在地と上記要求情報とを受信し、上記購入者端末が存在する位置を取得し、上記施設の所在地と上記購入者端末が存在する位置とに基づいて、上記購入者端末の位置から上記施設の所在地との間の場所情報を取得し、取得した場所情報を上記購入者端末へ提供する誘導装置を備えることを特徴とする。
【００１９】
上記購入者端末は、上記決済許可情報を生成する場合に必要となる情報の入力を利用者へ促し、利用者から入力された情報を予め保持し、保持した情報に基づいて決済許可情報を生成することを特徴とする。
【００２０】
上記チケット購入方式は、さらに、上記決済機関と上記電子チケット仲介サーバとを仲介する決済サーバを備え、
上記電子チケット仲介サーバは、上記決済情報と上記決済許可情報とを上記決済サーバへ送信し、
上記決済サーバは、上記決済情報と上記決済許可情報とを受信し、受信した上記決済情報と上記決済許可情報とに基づいて、上記決済機関へ決済の実施を指示し、
上記決済機関は、上記決済サーバから受信した指示に基づいて決済を実施することを特徴とする。
【００２１】
上記販売店端末は、利用者情報を検索する条件を指定する取得条件を含む利用者情報取得要求を生成し、
上記電子チケット仲介サーバは、上記利用者情報取得要求から上記取得条件を抽出し、抽出した取得条件に基づいて、上記データベースを検索し、検索した結果を用いて利用者情報を生成することを特徴とする。
【００２２】
上記電子チケット購入方式は、複数の購入者端末を備え、
上記複数の購入者端末は、同じ催しの電子チケット情報を保持し、
上記複数の購入者端末それぞれは、上記複数の購入者端末に共通する共通識別子を保持し、上記共通識別子を含む上記要求情報を生成し、
上記誘導装置は、上記複数の購入者端末から上記施設の所在地と上記要求情報とを受信し、上記複数の購入者端末それぞれが存在する複数の位置を取得し、受信した施設の所在地と上記複数の購入者端末それぞれが存在する複数の位置とに基づいて、上記複数の位置から上記施設の所在地との間の場所情報を取得し、取得した場所情報を上記共通識別子を含む上記要求情報を送信した複数の購入者端末へ提供することを特徴とする。
【００２３】
上記データベースは、利用者情報として、チケットの購入状況の情報と、決済状況の情報と、個人の嗜好の情報との少なくともいずれか一つの情報を含む利用者情報を蓄積することを特徴とする。
【００２４】
上記電子チケット仲介サーバは、蓄積したチケット販売情報を読み込み、読み込んだチケット販売情報から購入者端末へ提供する情報を抽出し、抽出した情報を用いてチケット参照情報を生成し、生成したチケット参照情報を上記データベースへ格納し、上記購入者端末から上記チケット参照情報の提供の要求があった場合、上記チケット参照情報を上記データベースから読み込み、読み込んだチケット参照情報を上記購入者端末へ送信し、
上記購入者端末は、上記チケット参照情報の送信を要求する参照情報送信要求を生成し、生成した参照情報送信要求を上記電子チケット仲介サーバへ送信することを特徴とする。
【００２５】
上記購入者端末は、上記チケット参照情報の送信の要求と、チケットを購入する購入条件とを含む参照情報送信要求を生成し、生成した参照情報送信要求を上記電子チケット仲介サーバへ送信し、
上記電子チケット仲介サーバは、上記参照情報送信要求を受信し、受信した参照情報送信要求から購入条件を抽出し、抽出した購入条件に基づいて、上記データベースを検索してチケット参照情報を生成し、生成したチケット参照情報を上記購入者端末へ送信することを特徴とする。
【００２６】
上記購入者端末は、定期的に上記参照情報送信要求を送信し、上記チケット参照情報を受信中に、上記参照情報送信要求を送信する場合は、上記チケット参照情報の受信を優先することを特徴とする。
【００２７】
上記電子チケット仲介サーバは、上記チケット参照情報を送信中に、上記購入者端末から上記参照情報送信要求が送信されてきた場合、上記参照情報送信要求の受信を優先することを特徴とする。
【００２８】
上記電子チケット仲介サーバは、さらに、
上記データベースからチケット販売情報を読み込み、読み込んだチケット販売情報を上記購入者端末へ送信するチケット情報送信部と、
上記購入者端末から上記チケット購入情報を受信し、受信したチケット購入情報を解析し、解析した結果を上記データベースへ登録する購入情報送受信部と
を備えることを特徴とする。
【００２９】
上記電子チケット仲介サーバは、さらに、
上記チケット販売情報を受信し、受信したチケット販売情報を上記データベースへ登録するチケット情報登録部を備えることを特徴とする。
【００３０】
上記購入情報送受信部は、上記データベースからチケット購入情報を読み込み、読み込んだチケット購入情報に基づいて、チケットの代金の支払いを決済する決済情報を生成し、購入者端末から上記決済情報の決済の許可を確認する情報を受信するとともに、決済を実施する決済機関へ、生成した決済情報を送信することを特徴とする。
【００３１】
上記電子チケット仲介サーバは、さらに、
上記チケット販売情報を更新するチケット更新情報を受信し、受信したチケット更新情報を解析し、解析した結果に基づいて、上記データベースに蓄積されたチケット販売情報を更新するチケット情報管理部を備えることを特徴とする。
【００３２】
この発明に係る電子チケット仲介サーバは、情報を蓄積するデータベースを備え、電子チケットの販売を仲介する電子チケット仲介サーバにおいて、
上記データベースは、チケットの販売に関するチケット販売情報を蓄積し、
上記電子チケット仲介サーバは、チケットを購入することを依頼するチケット購入情報を受信し、上記データベースからチケット販売情報を読み込み、受信したチケット購入情報と読み込んだチケット販売情報とに基づいて、チケットを電子化した電子チケット情報を生成し、生成した電子チケット情報を、上記チケット購入情報を送信した送信元へ送信するとともに、生成した電子チケットの代金の支払いの決済を依頼する決済情報を生成し、決済を実施する決済機関へ、生成した決済情報を送信することを特徴とする。
【００３３】
この発明に係る電子チケット仲介サーバは、情報を蓄積するデータベースを備え、電子チケットの販売を仲介する電子チケット仲介サーバにおいて、
上記データベースは、利用者が送信したチケットの購入を依頼するチケット購入情報と、利用者の嗜好に関する情報との少なくともいずれか一つを含む利用者情報を蓄積し、
上記電子チケット仲介サーバは、利用者情報の提供を依頼する利用者情報取得要求を受信し、受信した利用者情報取得要求に基づいて、上記データベースを検索し、検索した結果取得した利用者情報を、上記利用者情報取得要求を送信した送信元へ送信することを特徴とする。
【００３４】
この発明に係る電子チケット仲介方法は、販売するチケットに関するチケット販売情報を蓄積するデータベースを備え、電子チケットの販売を仲介する電子チケット仲介方法において、
上記データベースからチケット販売情報を読み込み、
読み込んだチケット販売情報をチケットの購入を希望する購入者端末へ送信し、
上記購入者端末からチケットの購入を依頼するチケット購入情報を受信することを特徴とする。
【００３５】
上記電子チケット仲介方法は、
チケットの販売を希望する複数のチケット販売店端末それぞれから複数のチケット販売情報を受信し、
受信した複数のチケット販売情報から購入者端末へ提供する情報を抽出し、
抽出した情報を用いてチケット参照情報を生成し、
生成したチケット参照情報を上記購入者端末へ送信することを特徴とする。
【００３６】
上記電子チケット仲介方法は、
受信したチケット購入情報に基づいて、チケットの代金の支払いを決済する決済情報を生成し、
上記購入者端末から上記決済情報の決済の許可を確認する情報を受信し、
決済を実施する決済機関へ、生成した決済情報を送信することを特徴とする。
【００３７】
この発明に係る電子チケット購入方法は、販売するチケットに関するチケット販売情報を蓄積するデータベースを有し、電子チケットの販売を仲介する電子チケット仲介サーバと、チケットを購入する購入者端末とを備える電子チケット購入方法において、
上記電子チケット仲介サーバは、
上記データベースからチケット販売情報を読み込み、
読み込んだチケット販売情報を上記購入者端末へ送信し、
上記購入者端末からチケットの購入を依頼するチケット購入情報を受信し、
上記購入者端末は、
上記電子チケット仲介サーバから送信されたチケット販売情報を受信し、
受信したチケット販売情報に基づいて、上記チケット購入情報を生成し、
生成したチケット購入情報を上記チケット仲介サーバへ送信することを特徴とする。
【００３８】
この発明に係る電子チケット仲介プログラムは、販売するチケットに関するチケット販売情報を蓄積するデータベースを備え、電子チケットの販売を仲介することを計算機で実現し、
上記データベースからチケット販売情報を読み込む処理と、
読み込んだチケット販売情報をチケットの購入を希望する購入者端末へ送信する処理と、
上記購入者端末からチケットの購入を依頼するチケット購入情報を受信する処理とを備えることを特徴とする。
【００３９】
この発明に係る電子チケット仲介プログラムを記録した計算機で読み取り可能な記録媒体は、販売するチケットに関するチケット販売情報を蓄積するデータベースを備え、電子チケットの販売を仲介することを計算機で実現する電子チケット仲介プログラムを記録した計算機で読み取り可能な記録媒体であり、
上記データベースからチケット販売情報を読み込む処理と、
読み込んだチケット販売情報をチケットの購入を希望する購入者端末へ送信する処理と、
上記購入者端末からチケットの購入を依頼するチケット購入情報を受信する処理とを備えることを特徴とする。
【００４０】
【発明の実施の形態】
実施の形態１．
図１は、この発明での電子チケット購入方式（処理方式）及び方法ならびにチケット仲介サーバ、チケット仲介方法の処理の流れを示す電子チケットモデル構成図の一例である。
図１において、１００は電子チケットの情報を参照ならび購入する携帯電話（購入者端末）、１０２は電子チケットの情報を登録し、携帯電話１００ならびにチケットショップサーバ、決済機関１０３、誘導サービス、入場管理装置１０５と情報の送受信を行う電子ウオレットサーバ（電子チケット仲介サーバ）、１０１は電子ウオレットサーバに対してチケット情報を提供するチケット販売店、１０３は電子チケットの購入を電子ウオレットサーバからの決済依頼によって決済を行う決済機関、１０４は携帯電話上の電子チケット情報により携帯電話を使用しているユーザを目的地点まで誘導する誘導装置（人工衛星など）、１０５は会場（コンサート会場、イベント会場）に設置され、電子チケットの情報を読み取り、電子ウオレットサーバ１０２に対して照会を行う入場管理装置である。
【００４１】
この明細書内では、チケット販売情報、チケット参照情報、チケット登録情報を以下のように定義する。
チケット販売情報は、チケット販売に関する情報であり、チケット販売店端末１０１から電子ウオレットサーバ１０２へ送信される情報である。チケット販売情報は、電子ウオレットサーバ１０２に備えられるデータベース４５に蓄積される。
チケット参照情報は、利用者へ提供されるチケット販売に関する情報であり、電子ウオレットサーバ１０２から携帯電話１００へ送信される。チケット参照情報は、電子ウオレットサーバ１０２によって、利用者へ提供するチケットに関する情報がチケット販売情報から抽出され、抽出された情報を用いて生成される。チケット参照情報は、定期的に電子ウオレットサーバ１０２から携帯電話１００へ送信される。チケット参照情報は、チケット販売情報の一部であるため、チケット販売情報というときもある。
【００４２】
チケット登録情報（チケット更新情報）は、電子ウオレットサーバ１０２のデータベース４５に蓄積されたチケット販売情報を更新する情報であり、チケット販売店端末１０１から電子ウオレットサーバ１０２へ送信される情報である。具体的には、チケット販売の中止、チケット販売の追加、日程・日時の変更、等、チケットに記載された情報や、チケットの販売に関する情報の変更を通知する情報である。チケット登録情報は、チケット更新情報ともいう。
また、電子チケット情報（「電子チケット」、あるいは、「電子チケット本体情報」、あるいは、「電子チケットデータ」ともいう）は、電子化されたチケットである。
【００４３】
図２に、電子チケットを購入ならびに電子チケットが処理される概要図を示す。
図２において、Ｂ１はチケット販売店端末１０１が電子ウオレットサーバ１０２にチケットの情報を登録することを示している。Ｂ２は登録された情報を電子ウオレットサーバ１０２が携帯電話１００に対して配信することを示している。Ｂ３は配信された情報をもとに携帯電話１００ユーザがチケットの購入を実施することを示している。Ｂ４はユーザがチケットを購入した場合に決済機関に対して確認を実施し、Ｂ５はユーザが購入したチケットの送付を示している。Ｂ６は送付されたチケット情報をＧＰＳ（Ｇｌｏｂａｌ  Ｐｏｓｉｔｉｏｎｉｎｇ  Ｓｙｓｔｅｍ）機能を利用して目的地まで誘導することを示している。目的地まで誘導されたユーザは、Ｂ７の施設入場を電子チケットにて実施する。
【００４４】
図３は、図１で示された電子チケットモデルを構成する個人決済ポータルサービスの構成図である。
携帯電話１００は、チケット情報送受信手段１とチケット購入情報送信手段２とチケット決済用許可情報送信手段３によって構成される。
電子ウオレットサーバ１０２は、端末装置通信手段１０とチケット情報登録手段４とチケット情報送信手段５と決済購入情報送受信手段６とチケット販売店サーバ装置通信手段７と決済機関サーバ装置通信手段８で構成される。
チケット販売店端末１０１は、電子ウオレットサーバ装置通信手段２００とチケット情報送受信手段２０１で構成される。
【００４５】
図４は、図１で示された電子チケットモデルを構成する決済利用促進サービスの構成図である。
携帯電話１００は、チケット情報送受信手段１とチケット購入情報送信手段２とチケット決済用許可情報送信手段によって構成される。
電子ウオレットサーバ１０２は、端末装置通信手段１０とチケット情報登録手段４とチケット情報送信手段５と決済購入情報送受信手段６と決済機関サーバ装置通信手段８で構成される。
決済機関１０３は、電子ウオレットサーバ装置通信手段２００と決済情報送受信手段２０２で構成される。
【００４６】
図５は、図１で示された電子チケットモデルを構成するマーケティング情報サービスの構成図である。
電子ウオレットサーバ１０２は、端末装置通信手段１０とチケット情報管理手段９とチケット情報登録手段４とチケット情報送信手段５と決済購入情報送受信手段６とチケット販売店サーバ装置通信手段で構成される。
チケット販売店端末１０１は、電子ウオレットサーバ装置通信手段２００とチケット情報送受信手段２０１で構成される。
【００４７】
図６は、図１で示された電子チケットモデルを構成する入場管理サービスの構成図である。
携帯電話１００は、チケット情報送受信手段１とチケット購入情報送受信手段２で構成される。電子ウオレットサーバ１０２は、端末装置通信手段１０とチケット情報登録手段４とチケット情報送信手段５と決済購入情報受信手段６と入場管理サーバ装置通信手段１１とチケット情報照合手段１２で構成される。
入場管理装置１０５は、電子ウオレットサーバ装置通信手段２００と端末装置通信手段２０４とチケット情報送受信手段２０１と入場許可情報送受信手段２０５と入場管理手段２０６で構成される。
【００４８】
図７は、図１で示された電子チケットモデルを構成するナビゲーションサービスの構成図である。
携帯電話１００は、位置情報送受信手段４１とチケット情報送受信手段１とチケット購入情報送信手段２とチケット決済用許可情報送信手段３で構成される。
電子ウオレットサーバ１０２は、端末装置通信手段１０とチケット情報登録手段４とチケット情報送信手段５と決済購入情報受信手段６と地図情報作成手段１３で構成される。
誘導装置１０４は、端末装置通信手段２０４と位置情報送信手段２０７で構成される。
【００４９】
また、電子ウオレットサーバ１０２は、データベース４５を備える。データベース４５は、各種情報を蓄積する。
図８は、電子ウオレットサーバ１０２に備えられるデータベース４５の構成の一例を示す図である。
図８に示すデータベース４５は、チケット参照情報テーブル４５１、管理用情報テーブル４５２、チケットタイプ用テーブル４５３、チケット決済用テーブル４５４、販売チケット管理用テーブル４５５、購入者用管理テーブル４５６、購入履歴情報用管理テーブル４５７、チケット本体情報管理テーブル４５８、システム管理用情報テーブル４５９、チケット操作履歴用テーブル４６０とを含む。
図９〜図１８は、上記各テーブルに含まれる情報の一例を示している。宣言名、及びデータ型を示す型は、一例を示したものである。
【００５０】
図９に示すチケット参照情報テーブル４５１は、チケット販売情報から生成されたチケット参照情報を含む。チケット参照情報は、ユーザに提供する情報である。
図１０に示す管理用情報テーブル４５２、図１１に示すチケットタイプ用テーブル４５３は、管理用のデータを蓄積する。
図１２に示すチケット決済用テーブルは、電子チケットのステータスを格納するテーブルであり、電子ウオレットサーバ１０２を介して販売する電子チケットの状態、決済状況等を管理するテーブルである。
チケット状態は、電子チケットの処理レベル（チケット購入情報取得、販売済み、等）を示し、決済状態は、決済の状況を示す。また、決済の情報は、決済通知完了フラグ等の各フラグによって示される。各フラグは、決済機関１０３及び携帯電話１００から通知される情報に基づいて電子ウオレットサーバによって、更新される。
【００５１】
図１３に示す販売チケット管理用テーブル４５５は、チケット販売に関するデータを蓄積する。また、電子チケット情報に付与されるチケットＩＤを管理する。
図１４に示す購入者用管理テーブル４５６、及び、図１５に示す購入履歴情報用管理テーブル４５７は、マーケティング情報を作成するときに利用される。
図１６に示すチケット本体情報管理テーブル４５８は、電子チケットの情報を確認するときに用いられる。
図１７に示すシステム管理用情報テーブル４５９は、チケットに関する情報をチケットＩＤを用いて管理するテーブルである。
【００５２】
データベース４５に蓄積される情報は、チケット情報登録手段４によって蓄積される。
また、データベース４５は、必ずしも上記に示したテーブルを総て含む必要は無く、上記テーブルの一部を含むデータベースであってもよい。また、その他の情報を含んでいても構わない。
【００５３】
次に、動作について説明する。
まず、図３を用いて個人決済ポータルサービスの動作について説明する。
個人決済ポータルサービスでは、チケット販売店端末１０１は、チケットの販売に関するチケット販売情報をチケット情報送受信手段２０１を用いて電子ウオレットサーバ装置通信手段２００へ送信する。
【００５４】
電子ウオレットサーバ装置通信手段２００によって送信されたチケット販売情報は、電子ウオレットサーバ１０２のチケット販売店サーバ装置通信手段７によって取得される。取得されたチケット販売情報は、チケット情報登録手段４によって電子ウオレットサーバ１０２内のデータベース４５に蓄積されるとともに、チケット情報送信手段５へ出力される。チケット販売情報は、チケット情報送信手段５から端末装置通信手段１０へ出力される。チケット販売情報は、端末装置通信手段１０によって、処理され携帯電話１００へ送信される。
【００５５】
携帯電話１００のチケット情報送受信手段１によって、電子ウオレットサーバ１０２内のチケット販売情報が携帯電話１００内に送信される。携帯電話１００を利用するユーザは、携帯電話１００が受信したチケット販売情報を用いて、購入したいチケットを選択する。携帯電話１００は、選択されたチケットに関する情報に基づいてチケット購入情報を生成し、チケット購入情報送信手段２によって生成したチケット購入情報を電子ウオレットサーバ１０２へ送信する。
【００５６】
電子ウオレットサーバ１０２に送信されたチケット購入情報は、電子ウオレットサーバ１０２の端末装置通信手段１０に出力され処理され、決済購入情報送受信手段６に出力される。
【００５７】
次に、図４を用いて決済利用促進サービスの動作について説明する。
図４の決済利用促進サービスでは、携帯電話１００から電子ウオレットサーバ１０２へ、チケット購入情報送信手段２によってチケット購入情報が送信される。送信されたチケット購入情報は、端末装置通信手段１０によって受信され処理され、決済購入情報送受信手段６に出力される。決済購入情報送受信手段６は、入力したチケット購入情報に基づいて、チケットの代金の支払いを決済する決済情報を生成する。決済購入情報送受信手段６は、チケット購入情報と決済情報とをデータベース４５へ登録し、決済情報を決済機関サーバ装置通信手段８へ出力する。決済機関サーバ装置通信手段８は、上記決済情報を決済機関１０３へ送信する。
【００５８】
決済機関１０３へ送信された決済情報は、電子ウオレットサーバ装置通信手段２００によって受信される。受信した決済情報は、決済情報送受信手段２０２へ出力される。決済情報送受信手段２０２は、入力した決済情報に基づいて、決済確認処理を実施し、決済許可確認情報を生成する。生成した決済許可確認情報を電子ウオレットサーバ装置通信手段２００に出力する。
電子ウオレットサーバ装置通信手段２００は、決済許可確認情報を電子ウオレットサーバ１０２内の決済機関サーバ装置通信手段８に送信する。
【００５９】
決済機関サーバ装置通信手段８は、送信された決済許可確認情報を受信し、受信した決済許可確認情報を決済購入情報送受信手段６へ出力する。決済購入情報送受信手段６は、入力した決済許可確認情報を処理し、処理した決済許可確認情報を端末装置通信手段１０へ出力する。端末装置通信手段１０は、入力した決済許可確認情報をチケット決済用許可情報送信手段３に送信する。
【００６０】
携帯電話１００のチケット決済用許可情報送信手段３は、決済許可確認情報を受信し、受信した決済許可確認情報に含まれる決済内容と購入したチケットのチケット購入情報とが一致することを確認する。次に、チケット決済用許可情報送信手段３は、確認した決済許可確認情報に基づいて、決済を許可することを通知する決済許可通知情報を生成し、生成した決済許可通知情報を電子ウオレットサーバ１０２に送信する。
電子ウオレットサーバ１０２の端末装置通信手段１０は、決済許可通知情報を受信し、受信した決済許可通知情報を処理（承認）し、決済購入情報送受信手段６に出力する。決済購入情報送受信手段６は、入力した決済許可通知情報に基づいて、データベース４５に登録された決済情報を更新し、決済許可情報（決済許可メッセージ）を生成する。次に、決済購入情報送受信手段６は、生成した決済許可情報を決済機関サーバ装置通信手段８へ出力する。決済機関サーバ装置通信手段８は、入力した決済許可情報をデータベース４５へ登録し、決済許可情報を決済機関１０３に送信する。
【００６１】
決済機関１０３の電子ウオレットサーバ装置通信手段２００は、決済許可情報を受信し、受信した決済許可情報を決済情報送受信手段２０２へ出力する。決済情報送受信手段２０２は、入力した決済許可情報をデータベース４５へ登録し、管理する。決済情報送受信手段２０２は、上記決済許可情報に基づいて決済を行う。さらに、決済情報送受信手段２０２は、決済終了情報を作成し、作成した決済終了情報を電子ウオレットサーバ装置通信手段２００へ出力する。電子ウオレットサーバ装置通信手段２００は、決済完了メッセージに対して処理を行い、電子ウオレットサーバ１０２へ送信する。
【００６２】
電子ウオレットサーバ１０２では、決済機関サーバ装置通信手段８は、決済終了情報を受信し、受信した決済終了情報を決済購入情報送受信手段６へ出力する。チケット購入情報送受信手段６へ入力した決済終了情報に基づいて、決済完了をデータベース４５に登録する。
【００６３】
次に、図５を用いてマーケティング情報サービスの動作について説明する。
図５のマーケティング情報サービスでは、チケット販売店端末１０１のチケット情報送受信手段２０１は、ユーザ情報やユーザの嗜好情報を取得することを要求するマーケティング情報取得要求を生成し、生成したマーケティング取得要求を電子ウオレットサーバ装置通信手段２００へ出力する。
電子ウオレットサーバ装置通信手段２００は、入力したマーケティング情報取得要求を電子ウオレットサーバ１０２のチケット販売店サーバ装置通信手段７にへ送信する。チケット販売店サーバ装置通信手段７は、送信されたマーケティング取得要求取得要求を受信し、チケット情報管理手段９へ出力する。
【００６４】
チケット管理手段９は、マーケティング取得要求を解析し、解析した結果に基づいて、ユーザ情報やユーザの嗜好情報を収集するチケット制御情報を生成し、生成したチケット制御情報をチケット情報登録手段４へ出力する。チケット登録手段４は、入力したチケット制御情報に基づいて、データの取得、検索処理を実施し、要求されたマーケティング情報の取得処理を実施する。チケット情報登録手段４で検索、取得されたマーケティング情報は、チケット販売店サーバ装置通信手段７に出力される。
チケット販売店サーバ装置通信手段７に入力されたマーケティング情報は、データ形式の変換処理され、チケット販売店端末１０１に送信される。
チケット販売店端末１０１の電子ウオレットサーバ装置通信手段２００は、送信されたマーケティング情報を受信し、受信したマーケティング情報をチケット情報送受信手段２０１へ出力する。
【００６５】
次に、図６を用いて、入場管理サービスの動作について説明する。
電子ウオレットサーバ１０２は、携帯電話１００から送信されたチケット購入情報に基づいて、電子チケット情報（電子化されたチケット）発券し、発券した電子チケット情報を携帯電話１００へ送信する。また、上記電子チケット情報をデータベース４５へ格納しておく。発券された電子チケット情報は、データベース４５に蓄積される。携帯電話１００は、送信された電子チケット情報を蓄積している。電子チケット情報は、携帯電話１００内の電子チケット情報格納部４６に蓄積されている。
図６の携帯電話１００内に蓄積された電子チケット情報は、入場管理装置１０５の端末情報装置通信手段２０４によって読み取られる。端末情報装置通信手段２０４は、読み取った電子チケット情報を入場管理手段２０６へ出力する。入場管理手段２０６は、携帯電話１００から読み取った電子チケット情報と電子ウオレットサーバ１０２のデータベース４５に蓄積された電子チケット情報とを照合する照合命令メッセージを作成し、作成した照合命令メッセージを電子ウオレットサーバ装置通信手段２００へ出力する。作成した照合命令メッセージは、読み取った電子チケット情報を含む。
【００６６】
電子ウオレットサーバ装置通信手段２００は、入力した照合命令メッセージを電子ウオレットサーバ１０２に送信する。
電子ウオレットサーバ１０２の入場管理サーバ装置通信手段１１は、照合命令メッセージを受信し、受信した照合命令メッセージから読み取り電子チケット情報を抽出し、抽出した電子チケット情報をチケット照合用情報としてチケット情報照合手段１２に出力する。チケット情報照合手段１２では、電子ウオレットサーバ装置内のデータベース４５から、電子チケット情報を読み出し、入力した電子チケット情報との照合を行い、照合結果を入場管理サーバ装置通信手段１１に出力する。
【００６７】
入場管理サーバ装置通信手段１１は、照合結果をデータベース４５へ登録し、また、照合結果に基づいて、許可メッセージあるいは、不許可メッセージを生成し、生成した許可（不許可）メッセージを入場管理装置１０５へ送信する。許可メッセージは、照合結果が一致し、電子チケット情報が正当であることを示す。不許可メッセージは、照合結果が一致せず、電子チケット情報が不正であることを示す。
【００６８】
入場管理装置１０５では、電子ウオレットサーバ装置通信手段２００は、許可（不許可）メッセージを受信し、受信した許可（不許可）メッセージに基づいて、完了メッセージを作成し、作成した完了メッセージを入場許可情報送受信手段２０５へ出力する。入場許可情報送受信手段２０５は、電子チケット情報を取得した携帯電話１００を特定し、特定した携帯電話１００を特定する携帯電話の固有ＩＤと、完了メッセージとを端末装置通信手段２０４へ出力する。
【００６９】
端末装置通信手段２０４は、携帯電話の固有ＩＤと完了メッセージとを入力し、入力した携帯電話の固有ＩＤと完了メッセージに基づいて、許可情報を生成し、生成した許可情報ならびに携帯電話の固有ＩＤと組み合わせられた情報を携帯電話１００へ送信する。携帯電話１００のチケット情報送受信手段１は、許可情報ならびに携帯電話の固有ＩＤを受信し、受信した許可情報ならびに携帯電話の固有ＩＤから許可情報を抽出し、抽出した許可情報を携帯電話１００上へ表示する。
【００７０】
次に、図７を用いてナビゲーションサービスの動作を説明する。
図７で、誘導装置１０４の位置情報送信手段２０７は、位置情報を取得し、取得した位置情報を端末装置通信手段２０４へ出力する。端末装置通信手段２０４は、入力した位置情報を携帯電話１００へ送信する。
携帯電話１００の位置情報送受信手段４１は、誘導装置１０４から位置情報を受信する。また、位置情報送受信手段４１は、携帯電話１００の位置情報を測定する。測定された位置情報は、携帯電話１００を特定する携帯電話の固有ＩＤを付加され、位置情報手段手段４１から電子ウオレットサーバ１０２へ送信される。
【００７１】
電子ウオレットサーバ１０２へ送信された携帯電話１００の位置情報と携帯電話の固有ＩＤとは、電子ウオレットサーバ１０２内の端末装置通信手段１０によって受信される。受信された位置情報と携帯電話の固有ＩＤは、解析処理を実施され、地図情報作成手段１３に出力される。
【００７２】
地図情報作成手段１３は、入力した位置情報（携帯電話１００の位置情報、電子チケットの行き先情報）に基づいて、ユーザの移動経路を特定する経路情報処理が実施され、経路情報が作成される。さらに、経路情報が表示される部分の地図情報を作成する処理が実施され、地図情報が作成される。作成された経路情報ならびに地図情報は、地図情報作成手段１３より端末装置通信手段１０を経由して携帯電話１００へ送信される。
【００７３】
携帯電話１００で受信された経路情報ならびに地図情報は、位置情報送受信手段４１によって受信され、受信された経路情報ならびに地図情報とは、携帯電話１００の画面上に表示される。誘導装置１０４と電子ウオレットサーバ１０２と携帯電話１００間では、データを周期的に送受信する。
【００７４】
この実施の形態では、個人決済ポータルサーバ、決済利用促進サービス、マーケティング情報サービス、入場管理サービス、ナビゲーションサービスとの５つのサービスを備えるシステムを説明したが、５つのサービスのうち、少なくとも一つを備えるシステム、あるいは、５つのサービスから、２つ以上のサービスを備えるシステムであっても構わない。
電子ウオレットサーバ１０２がどのサービスを提供するかによって、システムが備えるサービスが異なってくる。
【００７５】
このように、この発明に係る携帯電話による電子チケットの購入方式ならびに方法は、決済利用促進サービスによって電子チケット購入データを携帯電話からチケットショップサーバに送信し、チケットショップサーバから電子ウオレットサーバを経由し決済機関に対して決済要求データを送信し決済を行い電子チケット情報を取得する。
個人決済ポータルサービスによって、携帯電話から送信された電子チケットの購入情報はサーバ上に登録され、サーバ側から携帯電話へユーザの嗜好にあったコンサート情報やイベント情報などが送信される。
【００７６】
マーケティング情報サービスによって、チケットショップの販売サーバに対して電子ウオレットサーバよりマーケティング情報などの情報を送信し、チケットショップの販売サーバは送信された情報をもとに携帯電話に対して電子チケット参照情報などを送信する。
ナビゲーションサービスによって、携帯電話上に受信した電子チケット情報は、携帯電話上に存在するナビゲーションソフトによって、現在の携帯電話に位置情報を人工衛星から受信し、受信したデータと比較され電子チケット情報の中にある行き先情報との差異によって経路情報を取得する。取得された経路情報は電子ウオレットサーバから携帯電話に送信され、携帯電話をもったユーザは経路情報に従い目的地まで移動する。
【００７７】
入場管理サービスによって、携帯電話上に受信した電子チケット情報は、各施設口に備え付けられた電子チケットの読み取りサーバ装置に対して電子チケット情報を送信し、読み取りサーバは電子ウオレットサーバに対して照合要求情報を送信し、電子ウオレットサーバは照合情報を読み取りサーバに送信し、読み取りサーバは携帯電話に対して通行許可情報を送信する。
【００７８】
また、これらのサービスからなる電子チケットの購入方式ならびに方法は、以下の手段を備えることを特徴とする。
電子チケット購入データを携帯電話からチケットショップサーバに送信する端末装置送信手段と、チケットサーバから電子ウオレットサーバに対して購入情報を登録するサーバ装置登録手段と、電子ウオレットサーバから決済機関に対して決済要求を送信するサーバ装置送信手段からなる決済利用促進サービス手段を有する。
【００７９】
電子ウオレットサーバに登録されている電子チケットの購入履歴情報等を、携帯電話に送信するサーバ装置送信手段と、電子ウオレットサーバ上の購入履歴情報から携帯電話ユーザが必要である情報を選択するサーバ装置情報検索手段からなる個人決済ポータルサービス手段を有する。
【００８０】
電子ウオレットサーバからチケットショップサーバに対してマーケティング情報を送信するサーバ装置マーケティング情報送信手段と、チケットショップサーバから携帯電話へ対してマーケティング情報にそって情報を送信するサーバ装置個人向け情報送信手段からなるマーケティング情報手段を有する。
【００８１】
携帯電話上の電子チケット情報を読み取って人口衛星からＧＰＳ情報を受信する端末装置ＧＰＳ情報受信手段と、携帯電話上の位置情報ならびに行き先情報を送信する端末装置位置情報送信手段と、携帯電話の位置情報ならびに行き先情報をから経路情報を作成するサーバ装置経路情報作成手段と、作成した経路情報と地図情報を携帯電話上の送信するサーバ装置経路情報送信手段からなるナビゲーションサービス手段を有する。
【００８２】
携帯電話上の電子チケット情報を受信する読み取りサーバ装置電子チケット情報受信手段と、読み取りサーバ装置から電子チケットの照合データが電子ウオレットサーバに送信される読み取りサーバ装置電子チケット照合データ送信手段と、電子ウオレットサーバから送信される照合結果データを受信する読み取りサーバ装置照合結果受信手段と、読み取りサーバが発行する通個許可を受信する端末装置通行許可受信手段からなる入場管理サービス手段を有する。
【００８３】
以上のように、図１の電子チケットモデル構成図は、図３の個人決済ポータルサービスと図４の決済利用促進サービスと図５のマーケティング情報サービスと図６の入場管理サービスと図７のナビゲーションサービスとの組み合わせによって実現するようにしているので、それぞれのサービスの機能を利用することで多種多彩な機能を実現することができる。
また、以下に、それぞれのサービスによって生じる効果は、以下のようになる。
【００８４】
１つ目として、図３で示す個人決済ポータルサービスによって電子チケットの購入ならびに携帯電話への電子チケットへの取得が非常に簡単となる。図３で示す個人決済ポータルサービスでは、チケット販売店端末１０１はチケット情報の管理のみを行い、チケットに関連した金銭情報管理を電子ウオレットサーバ１０２に依存したモデルである。このため、チケット販売店端末１０１は、チケット管理のみを実施し、金銭情報の管理や決済情報の管理を行う必要がない。電子ウオレットサーバ１０２は、チケット情報の管理、チケット情報の登録、チケット購入情報の管理、決済情報の管理などを実施し、チケット販売店端末１０１が必要とする機能やサービスを提供することで、チケット販売店端末１０１のチケット販売費用を削減する効果がある。
【００８５】
２つ目として、図４で示す決済利用促進サービスによって電子チケットの購入を行うための決済方式を携帯電話から簡易に行う方式を提供する。図４で示す決済利用促進サービスでは、携帯電話１００から送信された購入情報を電子ウオレットサーバ１０２を経由して決済機関１０３に対して送信することで、購入情報の管理、決済情報の管理、購入情報の履歴を電子ウオレットサーバ１０２にて一括管理することが可能となる。さらに、携帯電話１００に対しての決済確認許可情報は、決済機関１０３より電子ウオレットサーバ１０２装置経由にて携帯電話１００に送信されるため、携帯電話１００ユーザは決済機関を意識することなく購入決済を行うことが可能となる。このため、決済機関は、携帯電話１００に対しての決済確認を実施する必要がなくなるため、確認費用の削減を実施できる効果がある。
【００８６】
３つ目として、図５で示すマーケティング情報サービスによってチケット販売店端末１０１がチケット購買情報などのマーケティング情報を使用可能とする方式を提供する。図５で示すマーケティング情報サービス構成図は、チケット販売店端末１０１は、チケット情報送受信手段によってチケット販売店がユーザが嗜好しているチケット情報や現在のチケットの売上状態を常に取得出来るサービスを提供する。電子ウオレットサーバ１０２内のチケット情報管理手段９において、電子チケット購入履歴情報の管理や取り出しなどを簡単に行う機能をサポートする。
【００８７】
このため、チケット販売店は、電子ウオレットサーバ１０２に対してチケットの購入状況を問い合わせすることで、現在、需要が存在するチケット状況に合わせてチケットを供給することが可能となり、チケットの売れ残りなどのロスを控えることができる効果がある。
【００８８】
４つ目として、図６で示す入場管理サービス構成図では、携帯電話１００上の電子チケットを読み取り入場管理装置１０５で電子チケットの確認を実施する方式を提供する。図６で示す入場管理サービス構成図は、入場管理装置１０５が携帯電話１００の電子チケットデータを自動的に読み取り、読み取った電子チケットデータを電子ウオレットサーバ１０２にある電子チケットデータと照合し、許可情報を携帯電話１００に送信する機能を提供する。通常とチケットと違い、電子チケットを利用することで施設入場のチケットチェックの手間を省き、また、携帯電話１００のユーザに対しての員数管理やメッセージの送付が可能となる。
【００８９】
このため、コンサートやイベントでの興行主は、従来の入場口でのチケット管理を行っていた人員を削減することが可能であり、さらに、電子チケットに対して各種のメッセージや広告等を送付することが可能となり、確実な営業効果をあげることが可能となる効果がある。
【００９０】
５つ目として、図７で示すナビゲーションサービス構成図では、携帯電話１００上の電子チケット情報から電子チケットの使用先（コンサート会場やイベント会場の位置情報）と現在の携帯電話の存在する位置情報より経路情報と地図情報を送信する方式を提供する。図７で示すナビゲーションサービス構成図は、携帯電話１００にて現在の携帯電話の位置情報を受信し、受信した位置情報と電子チケット上の会場の位置情報を電子ウオレットサーバ１０２に送信する。電子ウオレットサーバ１０２は、送信された情報を基に経路情報ならびに地図情報を作成し携帯電話１００に送信する。携帯電話１００は、送信された情報を画面に表示して、ユーザは示された情報に従い移動する。情報の更新時には、再度、携帯電話の位置情報と会場の位置情報を電子ウオレットサーバ１０２に送信し、経路情報ならびに地図情報を受信する。電子ウオレットサーバ１０２にて経路情報ならびに地図情報の処理を実施するために、携帯電話１００は経路情報の計算処理や地図情報の蓄積を行う必要がなく、さらに、本方式では、携帯電話１００と電子ウオレットサーバ１０２とが常時接続する必要もないため、通信コストの削減、携帯電話１００のリソースの節約を実施することが可能となる。
【００９１】
このため、携帯電話１００ユーザは、電子チケットを購入することで目的地（コンサート会場やイベント会場）の位置情報を自動的に取得し、ナビゲーションサービスを利用することが可能となる。さらに、携帯電話上の画面に地図情報ならびに経路情報を表示することで、初めて行く会場でも迷わず到着できることが可能となる効果がある。
【００９２】
実施の形態２．
以上の実施の形態１では、図３の個人決済ポータルサービス、図４の決済利用促進サービス、図５のマーケティング情報サービス、図６の入場管理サービス、図７のナビゲーションサービスを利用して電子チケットの購入処理サービスを実現するようにしたものであるが、次にこれらのサービスを構成している要素の中の１つである図３の個人決済ポータルサービスについて説明する。
図３は、図１の電子チケットモデルを構成している個人決済ポータルサービスの構成図を示している。
【００９３】
図３で、携帯電話１００は、チケット情報送受信手段１、チケット購入情報送受信手段２、チケット決済用許可情報送受信手段３より構成される。電子ウオレットサーバ１０２は、チケット情報登録手段４、チケット情報送信手段５、決済購入情報送受信手段６、チケット販売店サーバ装置通信手段７、決済機関サーバ装置通信手段８、端末装置通信手段１０より構成される。
チケット販売店端末１０１は、電子ウオレットサーバ装置通信手段２００、チケット情報送受信手段２０１より構成される。
【００９４】
チケット情報送受信手段１は、図１９に示される。
図１９は、チケット情報送受信手段の構成の一例を示す図である。
１１はチケット情報や入場管理情報、１２はチケット情報受信処理、１３は入場情報管理処理、１４はチケット情報の送信処理、１５はブラウザ出力処理、１６は画面表示、１７はチケットＩＤである。
【００９５】
チケット情報や入場管理情報１１は、電子ウオレットサーバ１０２から携帯電話１００へ入力される。チケット情報や入場管理情報１１は、暗号化、圧縮等された状態で入力される。与えられた情報は、チケット情報受信処理１２で複合化され、さらに解凍処理が実施され、その後で、各データ（会場データ、チケットＩＤ、位置情報、ユーザ情報、チケット参照情報など）を分割し、携帯電話１００のチケット情報格納部４６に格納する。入場情報管理処理１３は、１１で与えられた入場管理情報用いて解析処理を実施し、電子チケット情報の送信要求である場合には、チケット情報送受信処理１４は、チケットＩＤ情報１７を送信する。
なお、チケット情報は、チケット参照情報や購入したチケットの電子チケット情報（電子チケット）を含む。チケット参照情報は、電子ウオレットサーバ１０２より定期的に送信される。
ブラウザ出力処理１５は、チケット情報から抽出されたチケット参照情報を携帯電話１００の画面へ表示する（画面表示１６）。
【００９６】
チケット購入情報送信手段２は、図２０で示される。
図２０は、チケット購入情報送信手段２の構成の一例を示した図である。
図２０の２１はチケット参照情報からユーザが選択した選択情報であり、２２は電子ウオレットサーバ１０２と通信を開始するためのパスワード処理、２３はパスワード情報の取得を示す。２４は電子ウオレットサーバ１０２に対して認証要求を行う認証要求処理、２５は個人認証を行うための個人認証情報、２６は購入データ送信処理、２７はチケット購入データである。
図２０には明記していないが、パスワード情報２３は、パスワード情報記憶部（記憶領域）に記憶され、個人認証情報２６は、個人認証情報記憶部（記憶領域）に記憶される。
【００９７】
選択情報２１は、携帯電話１００の画面上において、チケットの購入用に表示されたチケット参照情報からユーザによって選択された情報である。この選択情報を電子ウオレットサーバ１０２に送信するために、携帯電話１００は、パスワード処理２２を実施して、電子ウオレットサーバ１０２との接続を実施する。
このとき、パスワード情報２３と電子ウオレットサーバ１０２内に保持するパスワードとを取得する。認証要求処理２４は、取得したパスワードを用いて電子ウオレットサーバ１０２に対して認証処理を実施する。認証処理は、個人認証を行うための個人認証情報２５を使用して処理を行う。認証終了後に、購入データ送信処理は、選択情報のデータ形式を変換し、チケット購入情報２７を生成し、生成したチケット購入情報を電子ウオレットサーバ１０２へ送信する。
【００９８】
チケット購入決済許可通知送信手段３は、図２１で示される。
図２１は、決済許可通知送信手段の構成の一例を示した図である。
３１は決済機関からの決済許可通知、３２は決済許可受信処理、３３は決済許可判別処理、３４は決済許可メッセージ作成処理、３５は決済許可メッセージ送信処理、３６は決済許可メッセージ、３７は個人プロファイルである。
【００９９】
決済許可通知情報３１は、決済機関１０３からの決済許可の確認を要求する情報であり、決済許可通知情報３１は、電子ウオレットサーバ１０２から送信され、決済許可受信処理３２で受信される。決済許可受信処理３２は、決済許可通知情報３１の形式を解析し、複合化ならびに解凍化を行う。
【０１００】
決済許可受信処理３２での処理が実施された決済許可通知情報３１は、決済許可判別処理３３へ出力される。決済許可判別処理３３は、決済許可通知情報３１を解析して、携帯電話１００を利用するユーザが購入実施を行った情報であるのかを判断する。決済許可判別処理３３は、携帯電話１００を利用するユーザが購入実施したと判断した場合、決済許可メッセージ作成処理３４を実施する。決済許可情報の作成では、許可を行う情報に対するメッセージの圧縮、暗号化、結合化を実施する。
【０１０１】
決済許可メッセージ作成処理３４で作成された決済許可情報３６は、決済許可メッセージ送信処理３５に出力される。
決済許可メッセージ送信処理３５は、決済許可情報３６を送信する相手先を特定し、相手先へメッセージを送信する要求を出力後、決済許可情報３６を送信する。
【０１０２】
次に、電子ウオレットサーバ１０２の構成要素について説明する。
図２２は、端末装置通信手段１０の構成の一例を示した図である。
図２２で、１９１はチケット情報、１９２はチケット購入情報、１９３はチケット情報解析処理、１９４は圧縮／解凍処理、１９５は暗号／復号化処理、１９６はデータ結合処理、１９７はチケット情報送信処理、１９８はチケット購入情報、１９９はチケット購入情報解析処理、１０１０は圧縮／解凍処理、１０１１は暗号／復号化処理、１０１２はデータ結合処理である。
【０１０３】
チケット情報１９１は、チケット販売店からユーザに提供されるチケット参照情報と電子チケット本体の情報である電子チケット本体情報とが含まれる。
チケット参照情報は、予めユーザがチケット参照情報を必要であることを要求し、好みの情報を登録している情報のみがチケット販売店端末１０１から送信され、チケット情報解析処理１９３が受信する。また、チケット情報解析処理１９３は、電子チケット本体情報を受信する。チケット情報解析処理１９３は、チケット販売店からの情報と電子チケット本体情報とを区別する。チケット参照情報のみを要求したユーザに対しては、チケット参照情報のみを送信する。電子チケットの購入を実施したユーザに対しては、電子チケット本体情報ならびに広告情報（チケット参照情報）などを付加した情報を作成し、作成した情報を圧縮／解凍処理１９４に送信する。
【０１０４】
圧縮／解凍処理１９４では、電子チケット本体情報の各パーツ毎に圧縮を実施し、暗号／復号化処理１９５へ送信する。暗号／復号化処理１９５では、各パーツ毎に圧縮された情報を各パーツ毎に暗号化実施する。暗号化実施されたデータは、データ結合処理１９６にて各パーツの要素タグを共に結合され、チケット情報送信１９７として携帯電話１００へ送信される。
【０１０５】
チケット購入情報１９８は、ユーザが参照したチケット参照情報からユーザが購入したい情報やユーザの購入許可情報を含む。チケット購入情報１９８は、チケット購入情報解析処理１９９に入力される。チケット購入情報解析処理１９９は、ユーザが購入したいチケットの情報に対応する決済許可情報（後述する）であるのかを判別し、処理を実施する。圧縮／解凍処理１０１０は、取得した情報の解凍処理を実施し、解凍された情報を履歴として電子ウオレットサーバ内のデータベース４５へ蓄積する。蓄積後、再度、圧縮処理を実施する。次に、暗号化／復号化処理１０１１は、復号化処理を実施し、再度、電子ウオレットサーバ内のデータベース４５へ蓄積する。蓄積後、再度、暗号化処理を実施し、データ結合処理１０１２を実施する。
【０１０６】
データ結合処理１０１２では、ユーザから送信された決済許可情報ならびにチケット購入情報毎に電子ウオレットサーバ１０２を経由したことを示すＩＤを追加し、チケット購入情報１９２として決済購入情報送受信手段６へ出力する。
【０１０７】
図２３は、チケット情報登録手段４の構成の一例を示した図である。
図２３の４１はチケット販売店端末１０１から送信されきたチケット参照用の情報（チケット参照情報）であり、この情報は、チケット参照用情報解析処理４２に入力として与えられる。
【０１０８】
チケット参照用情報解析処理４２では、送信されてきたチケット参照情報４１の解析処理を行いＸＭＬ型データに変換する。
【０１０９】
変換されたチケットの参照情報のＸＭＬ型データは、電子ウオレットサーバ内のデータベース４５にＸＭＬ型データとしてチケット情報登録処理４３によって蓄積される。
【０１１０】
チケット情報登録処理４３後、チケット情報更新処理４４では、チケット販売店端末１０１からの変更情報を変更情報に応じて電子ウオレットサーバ内のデータベース４５に蓄積された情報の変更を行う。
チケット情報更新処理４４終了後、チケット参照用のチケット参照情報４６として、携帯電話１００へ送信される。
【０１１１】
図２４は、チケット情報送信手段５の構成の一例を示した図である。
５１はチケット登録情報であり、チケット情報が新規に登録された場合や更新された場合やチケットを発行（発券）する場合に送信される。このチケット登録情報５１は、チケット登録情報解析処理５２に入力として送信され、チケット登録情報の解析処理が実施される。チケット登録情報５１の解析処理では、チケット登録情報５１がチケットの発行または参照であるのかを判別し、処理を実行する。
【０１１２】
図２４のフレームワーク情報参照処理５３は、電子ウオレットサーバ１０２内に保持されたチケット用フレームワーク５６を参照して、参照用の情報の作成もしくはチケット発行用の情報の作成を実施する。
【０１１３】
図２４のフレームワーク情報参照処理５３の終了後、データベース情報の参照処理５４が実施される。データベース情報参照処理５４では、データベース４５の情報を参照することで、チケット情報の作成を実施する。取得された情報をもとにしてチケット情報構築処理５５では、フレームワーク毎の情報、チケットのデータ情報、付加情報などを追加してチケット情報を構築する。チケット情報構築処理５５の処理終了後、５７のチケット情報として携帯電話１００へ送信される。
【０１１４】
図２５は、決済購入情報送受信手段６（購入情報送受信部）の構成の一例を示した図である。
６１は決済機関からの購入問い合わせ情報であり、６２は購入情報解析処理、６３は購入用情報用メッセージ作成処理、６４は購入情報用メッセージ送信処理、６５は購入用メッセージの送信、６６は購入許可情報、６７はチケット購入用情報受信処理、６８はチケット購入履歴登録処理、６９はチケット購入用情報送信処理、６１０は購入許可情報である。
【０１１５】
６１は決済機関からの購入問い合わせ情報であり、決済機関１０３から購入者に対しての購入を実施したかどうかを確認するための情報である。購入情報解析処理６２は、決済機関からの購入問い合わせ情報６１を解析し、正当な決済機関１０３からの決済機関からの購入問い合わせ情報であることを判別する。さらに、購入用情報用メッセージ作成処理６３は、購入情報用のメッセージとして電子ウオレットサーバ１０２内のデータベース４５よりチケット情報やユーザ情報の参照を実施し、購入用情報メッセージを作成する。
【０１１６】
購入情報用メッセージ送信処理６４は、購入用情報用メッセージ作成処理６３で作成した購入用情報メッセージを携帯電話１００（購入者）に対して送信する処理を実施する。
【０１１７】
次に、購入者が購入用情報メッセージを受信した場合に、決済機関１０３に対して購入許可情報を発信する場合について説明する。
図２５の６６はユーザが購入用情報メッセージに対して購入許可を発信する購入許可情報を示している。
【０１１８】
図２５の６７は購入許可情報の受信処理であり、この処理で電子ウオレットサーバ１０２内のチケット情報と購入許可情報を照らし合わせて、購入許可情報の確認を行う。さらに、６８のチケット購入履歴登録処理では、購入許可をしたチケットの購入履歴として電子ウオレットサーバ内のデータベースに購入履歴を登録する処理を実施する。
【０１１９】
図２５の６９では購入許可情報の送信処理を実施する。この処理では、決済機関に対する購入許可情報を生成するとともに、携帯電話１００に対して電子チケットの本体情報を送付する処理を実施する要求を電子ウオレットサーバに対して発信する。６１０の購入許可情報は、６９の処理で生成されたメッセージを示している。
【０１２０】
図２６は、チケット販売店サーバ装置通信手段７の構成の一例を示した図である。
７１はチケット販売店からチケット登録情報の登録・変更通知情報であり、７２は登録変更情報変換処理、７３は登録情報変更通知処理、７４はチケットサーバ向け変更通知情報、７５はチケット販売店のチケットサーバからのチケット登録情報、７６はチケット登録情報変換処理、７７は登録情報変更通知処理、４１はチケット参照情報である。
【０１２１】
チケット登録情報の登録・変更通知７１は、携帯電話ユーザから送信される情報で、チケット情報の登録やチケット情報の変更に時に発信される。登録変更情報変換処理７２は、送信された登録情報や変更情報をＸＭＬデータに変換する処理である。登録情報変更通知処理７３で登録情報や変更情報を電子ウオレットサーバ１０２に通知して、データベース４５の変更を実施する処理である。７４はチケット販売店端末１０１のチケットサーバに対して変更通知情報である。
【０１２２】
チケット販売店端末１０１のチケットサーバから通知されたチケット情報は、登録情報変換処理７６にてＸＭＬデータに変換処理実施される。変換されたＸＭＬデータは、登録情報変更通知処理７７に入力され、電子ウオレットサーバ１０２内に通知して、データベース４５の変更を実施する。登録情報変更通知処理７７実施後、チケット参照情報４１として送信される。
【０１２３】
図２７は、電子ウオレットサーバ装置通信手段２００の構成の一例を示した図である。
電子ウオレットサーバ装置通信手段２００は、チケット販売店端末１０１のチケットサーバ側に位置し、電子ウオレットサーバ１０２との通信を行う処理手段を与えるものである。
【０１２４】
電子ウオレットサーバ装置通信手段２００は、２００１のチケット情報、２００２のチケット情報解析処理、２００３の電子ウオレット装置選択処理、２００４のデータベース管理処理、７５のチケット登録情報、７４の変更通知、２００５の変更メッセージ作成処理、２００６の変更メッセージの送信から構成される。
【０１２５】
チケット情報２００１は、チケット販売店端末１０１から電子ウオレットサーバ１０２に送信するためのチケット参照情報ならびにチケットを制御するチケット制御情報を示している。チケット情報解析処理２００２に送信されたチケット参照情報ならびにチケット制御情報は、チケット情報解析処理２００２によってチケット制御情報ならびにチケット参照情報の判別が実施される。電子ウオレット装置選択処理２００３は、チケット制御情報に従い、電子ウオレット装置を選択する。データベース管理処理２００４では、チケット参照情報をチケット販売店端末１０１のチケットサーバ内に蓄積し（参照情報として送信した情報をチェックする）、チケットサーバ内のデータベース情報を更新する。
【０１２６】
チケット登録情報７５は、データベース管理処理２００４の処理実施後、電子ウオレットサーバ１０２に対して登録を実施するための送信される情報である。変更通知情報７４は、電子ウオレットサーバ１０２側からのチケット購入に伴うチケット数の変化などが送信されることを示している。
【０１２７】
変更通知７４が電子ウオレットサーバ１０２から送信されると、チケット販売店端末１０１のチケットサーバでは、データベース管理処理２００４にて変更通知を受信し、チケットサーバ内のデータベース情報の変更を実施する。２００５の変更メッセージの作成処理は、チケットサーバ上でチケット情報を確認を行ったときに表示されるメッセージの作成処理を実施する。処理実施後、変更メッセージの送信２００６が実施される。
【０１２８】
次に、動作について説明する。
図３は、電子チケットの個人決済ポータルサービス示す構成図であったが、図２８は、個人決済ポータルサービスの認証過程を示したものである。
携帯電話１００と電子ウオレットサーバ１０２内の電子チケットを購入するために、情報の参照ならびに購入を実施するために電子ウオレットサーバと携帯電話は認証処理を実施する。認証処理は、図２８でＡＡ１認証要求、ＡＡ２認証情報要求、ＡＡ３認証情報送信、ＡＡ４認証情報確認通知、ＡＡ５認証完了通知、ＡＡ６認証完了通知（Ｒｅｐｌａｙ）で示される。
【０１２９】
ＡＡ１認証要求は、携帯電話１００から電子ウオレットサーバ１０２に対して実施され、携帯電話から電子チケット情報の参照を行う初期処理として実施される。ＡＡ１認証要求は、電子ウオレットサーバ１０２に対して認証を要求する。
ＡＡ２認証情報要求では、電子ウオレットサーバ側が携帯電話１００に対して電子証明書などの認証情報の要求を実施する。
ＡＡ３認証情報送信では、携帯電話１００から認証情報を電子ウオレットサーバ１０２に対して送信する。認証情報を受信した電子ウオレットサーバ１０２は、携帯電話１００に対してＡＡ４認証情報確認通知を送信し、ＡＡ５認証完了通知を携帯電話１００から電子ウオレットサーバ１０２へ送信し、電子ウオレットサーバ１０２から携帯電話１００に対して、再度ＡＡ６認証完了通知を送信することで認証処理を完了する。電子ウオレットサーバ１０２は、携帯電話に対して処理の初期状態では認証サーバとしての機能を為す。
【０１３０】
次に、個人決済ポータルサービスでの参照処理の動作を説明する。
図２９は、個人決済ポータルサービスでの参照処理の動作の一例を示す図である。
図２９では、携帯電話１００から電子ウオレットサーバ１０２に対して電子チケット情報の参照情報の要求が実施されたときの処理を示している。ここで、電子ウオレットサーバ１０２は、データベース４５として、ＸＭＬ（Ｅｘｔｅｎｓｉｂｌｅ  Ｍａｒｋｕｐ  Ｌａｎｇｕａｇｅ）データベースを含むものとする。図２９では、説明を容易にするため、電子ウオレットサーバ１０２とデータベース４５を分離して示している。携帯電話１００からＡＢ１情報要求で電子チケット情報の参照要求が送信される。ＡＢ２情報検索要求がＸＭＬデータベースに対して実施され、検索結果は、ＡＢ３検索情報送信として処理される。また、チケット情報の更新が実施された場合には、ＡＢ４更新通知依頼がＸＭＬデータベースに出力され、ＸＭＬデータベースの更新を実施し、ＸＭＬデータベースは、ＡＢ５更新通知を出力する。検索された情報は、ＡＢ６検索情報として携帯電話１００に送信される。
【０１３１】
次に、個人決済ポータルサービスでの購入処理の動作を説明する。
図３０は、個人決済ポータルサービスでの購入処理の動作の一例を示した図である。
図３０では、携帯電話１００から電子ウオレットサーバ１０２に対しての電子チケット情報の購入情報の要求が実施されたときの処理を示している。ＡＣ１購入依頼が携帯電話１００から電子ウオレットサーバ１０２に対して送信される。ＡＣ１購入依頼を受け、電子ウオレットサーバ１０２内ではＸＭＬデータベースに対してＡＣ２購入情報更新依頼を実施する。ＸＭＬデータベース上でＡＣ２が実施されると、ＸＭＬデータベースよりＡＣ３購入情報更新通知が電子ウオレットサーバ１０２に対して通知される。さらに、携帯電話１００からＡＣ４チケット購入のキャンセル依頼が発行された場合には、ＡＣ５キャンセル情報更新依頼がＸＭＬデータベースに出力され、ＸＭＬデータベース上でキャンセル情報が処理され、ＡＣ６にてキャンセル情報更新実施通知が通知される。その結果をＡＣ７結果通知として、携帯電話１００に対して電子ウオレットサーバ１０２より送信される。
【０１３２】
図３の個人決済ポータルサービスの構成図が示す各手段ならびに各処理の動作説明を示した。
このように、携帯電話１００ユーザならびにチケット販売店端末１０１が電子ウオレットサーバ１０２を介することによって、携帯電話１００に対してチケット販売店端末１０１が提供したチケット情報を電子ウオレットサーバ１０２にて電子チケットの実体として生成し、さらに、電子ウオレットサーバ内または携帯電話１００に送信することが可能となる。このため、従来のチケットの流通のためにかかっていたコストの削減、また、電子チケットの生成、管理を電子ウオレットサーバ１０２にて実施することで、チケット販売店端末１０１は、電子ウオレットサーバ１０２を利用することにより、多くの設備投資を実施することなく、チケット情報を電子チケットと変換する方法を取得することが出来るという効果がある。特に、本発明で説明をしている電子ウオレットサーバ１０２は、電子チケットの生成だけでなく、携帯電話１００に対してのチケット情報の参照、購入要求の処理、キャンセル処理の実施を行うことを可能としている。
【０１３３】
実施の形態３．
この実施の形態３では、図４の決済利用促進サービスについてその手段ならびに処理の流れを示し、その効果を説明するものである。
図４は、決済利用促進サービスの構成図を示したものである。
実施の形態２において、電子ウオレットサーバ１０２上で決済購入情報送受信手段６ならびに、決済機関サーバ装置通信手段８、決済機関１０３の決済情報送受信手段２０２、電子ウオレットサーバ装置通信手段２００を追加したものである。
【０１３４】
図３１は、決済利用促進サービスの情報の流れの一例を示した図である。
ＡＥ１の「決済依頼通知情報」（「購入依頼」あるいは「チケット購入情報」ともいう）は、携帯電話１００を利用するユーザが購入したい電子チケットの決済を電子ウオレットサーバ１０２へ依頼するための情報である。決済依頼通知情報には、ユーザが選択した電子チケットのＩＤが含まれる。
ＡＥ２の「決済情報」は、携帯電話１００を利用するユーザがチケットを購入したときに送信されるチケットの種類や個人用ＩＤや決済機関の種類別情報などが含まれる情報である。決済情報には、購入したチケットの情報（品物情報）を含む。
ＡＥ３の「決済許可確認情報」は、決済機関１０３から携帯電話１００、あるいは、決済機関１０３から電子ウオレットサーバ１０２経由を経由して携帯電話１００へ送信される情報であり、携帯電話１００を利用するユーザへ、決済をしても良いかという許可を得るための確認情報である。決済許可確認情報は、不正に決済されることを防ぐために送信される。図３１では、電子ウオレットサーバ１０２から携帯電話１００へ送信される部分をＡＥ４で示している。
【０１３５】
ＡＥ５の「決済許可通知情報」は、決済許可確認情報を受けて、携帯電話１００を利用するユーザが電子ウオレットサーバ１０２へ送信する情報である。決済許可通知情報を送信することで、携帯電話１００を利用するユーザは決済の意思があることを電子ウオレットサーバ１０２ならびに決済機関１０３へ示す。
ＡＥ６の「決済許可情報」は、決済許可通知情報を受けて、電子ウオレットサーバ１０２が決済機関１０３へ送信する情報である。決済許可情報を決済機関１０３が受信すると、決済機関１０３は、決済を実施する。
ＡＥ７の「決済終了情報」は、決済許可情報を受けて、決済機関１０３において、決済が終了すると、決済機関１０３が決済終了を通知する情報として電子ウオレットサーバ１０２へ送信する情報である。
ＡＥ８の「完了メッセージ」は、決済終了情報を受信した電子ウオレットサーバ１０２が、携帯電話１００へ送信する情報であって、完了を通知するのメッセージである。
以下に、図３１及び、図３２，図３３を用いて、決済利用促進サービスについて説明する。
【０１３６】
図３２は、決済機関サーバ装置通信手段８の構成の一例を示す図である。
図３２に示す決済機関サーバ装置通信手段８は、決済機関からの決済情報８１と、決済情報管理処理８２と、決済情報登録処理８３と、決済情報送信処理８４と、決済許可確認情報８５と、決済許可通知情報８６と、決済許可情報管理処理８７と、決済許可情報登録処理８８と、決済情報送信処理８９と、決済終了通知情報８１０とを含む構成となっている。
【０１３７】
決済機関からの決済許可確認情報８１は、決済機関１０３の決済機関サーバから送信される決済情報を示している。決済機関からの決済許可確認情報８１は、電子ウオレットサーバ１０２の決済情報管理処理８２で処理実施され、決済情報登録処理８３にて決済情報としてデータベース４５へ登録される。決済情報登録処理８３にて登録された情報は、決済情報送信処理８４にて決済許可確認情報８５として作成され、決済許可確認情報８５は、携帯電話１００へ送信される。
【０１３８】
さらに、決済許可通知情報８６が携帯電話１００から送信されたときに、決済許可情報管理処理８７は、決済許可通知情報８６とデータベース４５に格納されている決済機関からの決済許可確認情報８１とが一致することを確認する（決済情報管理処理８２ならびに決済情報登録処理８３によって決済機関からの情報は蓄積されているので、この情報をもとに判別を行う）。
【０１３９】
決済許可情報登録処理８８は、購入者が決済の許可をした情報についての登録を実施する。
決済情報送信処理では、携帯電話１００のユーザが決済許可を送信したメッセージを作成し、決済許可情報８１０を送信する。
【０１４０】
図４中の２００電子ウオレットサーバ装置通信手段は、実施の形態２で説明を行った図２７の処理に加え、図３３で示す処理を決済機関向けに追加したものである。
図３３は、電子ウオレットサーバ装置通信手段２００の構成の一例を示す図である。
２００７は決済情報、２００９は決済情報解析処理、２０１０は電子ウオレット装置選択処理、２０１１はデータベース管理処理、８１は決済許可確認情報、８１０は決済許可情報（決済許可通知）、２０１２は完了メッセージ作成処理、２００８は決済終了情報である。
【０１４１】
決済情報２００７は、決済機関１０３から電子ウオレットサーバ装置通信手段２００へ送信され、決済情報解析処理２００９へ入力される。決済情報解析処理２００９は、入力した決済情報２００７を決済種別、決済期日などの情報に解析処理する。解析処理した情報は、決済許可確認情報作成のための目安される。決済情報解析処理２００９によって解析処理された情報は、電子ウオレットサーバ装置選択処理２０１０に入力される。電子ウオレットサーバ装置選択処理２０１０では、決済許可の確認を行うメッセージを送信するべき電子ウオレットサーバ装置を選択する。電子ウオレットサーバ装置選択処理２０１０終了後に、データベース管理処理２０１１にて決済許可の確認中であることをデータベース上に登録し、決済許可確認情報８１を送信する。
【０１４２】
さらに、決済許可情報８１０が電子ウオレットサーバ１０２より送信されたときには、決済許可情報８１０を入力として、データベース管理２０１１に送信される。データベース管理２０１１では、決済許可情報８１０をデータベース４５に登録し、完了メッセージ作成処理２０１２に対して入力を与える。
【０１４３】
完了メッセージ作成処理２０１２では、携帯電話１００のユーザが決済依頼の確認通知に対して決済依頼を行ったときに送信される情報が決済機関サーバの内に通知されるメッセージを作成するものである。完了メッセージ作成処理２０１２は、決済終了情報２００８を作成する。作成された決済終了情報２００８は、決済機関サーバ内に通知される。
【０１４４】
次に、動作について説明する。
図４の決済利用促進サービスの構成図で、携帯電話１００を使用しているユーザは、チケット決済用許可情報送信手段３を用いて、決済購入情報の送信ならびに決済許可情報８１０の送信ならびに決済確認許可通知８１の受信を行う。
【０１４５】
次の電子ウオレットサーバ１０２内の端末装置通信手段１０を経て、決済購入情報送受信手段６にて決済情報２００７の登録、送信を実施し、決済機関サーバ装置通信手段８にて決済機関サーバ向けメッセージ処理を行う。決済機関１０３においては、電子ウオレットサーバ装置通信手段２００を用いて決済機関サーバ装置通信手段８からの情報を送受信実施して、決済情報のやり取りを実施するものである。
【０１４６】
本発明である図４の決済利用促進サービスは、従来、決済機関とチケット販売店がユーザの代理にて行っていた決済処理のシステムを本発明品である電子ウオレットサーバ１０２を使用して決済処理機関とチケット販売店との関係を代替し、さらに、処理プロセスが不明であった決済機関処理を消費者であるユーザに対して分かりやすく処理する効果をもつ。さらに、本発明品である電子ウオレットサーバ１０２によりチケット販売店端末１０１と決済機関１０３と携帯電話１００のユーザが相互的な監視を可能とすることにより決済に対する不正を未然に防ぐことが可能となる。電子ウオレットサーバ１０２からの携帯電話１００に対する決済確認許可通知がこれを示している。
【０１４７】
実施の形態４．
この実施の形態４では、図５のマーケティング情報サービスについてその手段ならびに処理の流れを示し、その効果を説明するものである。
図５は、マーケティング情報サービスの構成図を示している。
本構成図は、実施の形態２の電子ウオレットサーバ１０２にチケット情報管理手段９を追加したものとなっている。
【０１４８】
図３４は、チケット情報管理手段９の構成の一例を示した図である。
図３４で、９１はチケット管理情報、９２はチケット管理情報解析処理、９３はチケット管理情報構築処理、９４はチケット管理情報送信処理、９５はチケット制御情報、９６はデータベース情報、９７はデータベース情報解析処理、９８はマーケティング情報構築処理、９９はマーケティング情報送信処理、９１０はマーケティング情報である。
【０１４９】
チケット管理情報９１は、チケット販売店端末１０１から送信される情報で、チケット販売店が電子ウオレットサーバ１０２に対して取得したい情報の種類や、チケットの登録などの制御情報を含んだ情報が送信される。これらの情報は、チケット管理情報解析処理９２にて解析され制御情報ならびに取得要求情報に分解され、チケット管理情報構築処理９３に入力される。
【０１５０】
チケット管理情報構築処理９３では、チケット販売店端末１０１から送信された情報である制御情報ならびに取得要求情報と電子ウオレットサーバ１０２内に蓄積されているユーザ情報を利用して、データベース４５の検索に利用しやすいチケット制御情報９５を構築する。
【０１５１】
チケット制御情報９５に基づいて、電子ウオレットサーバ１０２内のデータベース４５を検索された情報は、データベース情報９６として取得される。取得されたデータベース情報９６は、データベース情報解析処理９７に入力される。ここデータベース４５上の情報として分析処理され、マーケティング情報構築処理９８に入力される。マーケティング情報構築処理９８は、チケット販売店端末１０１が要求している情報のみをＸＭＬデータ形式にて送信できるように、マーケティング情報用のＸＭＬデータを構築し、マーケティング情報送信処理９９に出力する。
【０１５２】
マーケティング情報送信処理９９は、入力したマーケティング情報用のＸＭＬデータをチケット販売店端末１０１のチケットサーバを特定して送信する処理を実施する。
【０１５３】
次に、図５のマーケティング情報サービスの動作について説明する。
図３５は、マーケティング情報サービスを利用する手順を示したものである。
図３５で、Ｊ１はチケット情報の依頼であり、Ｊ２は購入履歴情報の要求である。Ｊ３は購入履歴情報の送信であり、Ｊ４はユーザ向けチケット情報の送信である。
【０１５４】
マーケティング情報サービスを利用したい携帯電話１００のユーザやチケット販売店端末１０１は、次に示す処理を行う。携帯電話１００のユーザは、Ｊ１の処理であるチケット情報の依頼を実施する。Ｊ１のチケット情報の依頼は、電子ウオレットサーバ１０２を経由してチケット販売店端末１０１に到達する。Ｊ２の購入履歴情報の要求では、電子ウオレットサーバ１０２内に蓄積されている携帯電話１００のユーザのこれまでの購入履歴情報を取得することを示している。Ｊ３では、電子ウオレットサーバ１０２からチケット販売店端末１０１への購入履歴情報の送信である。チケット販売店端末１０１は、チケット購入者の購入履歴をオンタイムで取得することが可能となる。
さらに、この購入履歴から他のチケット情報を含めた情報を携帯電話１００にユーザに送信するのが、Ｊ４のユーザ向けチケット情報の送信である。
【０１５５】
このように、この発明のマーケティング情報サービスによれば、チケット販売店や携帯電話のユーザに対してチケット関連情報や広告情報をオンタイムで送信することが可能であるという効果がある。また、チケット販売店は、随時、ユーザの購入履歴情報などを検索することが可能となるため、現在売れているチケット情報やチケット数の残りをこまめにチェックすることが可能となり、チケット販売におけるチケット売上に貢献することが可能となる。さらに、携帯電話１００のユーザは、チケット情報の依頼時に、ユーザが興味があるチケット情報を取得することができるというメリットがある。
【０１５６】
実施の形態５．
本実施の形態５は、図６の入場管理サービスについてその手段ならびに処理の流れを示し、その効果を説明するものである。
図６は、入場管理サービスの構成図を示したもので、実施の形態２で説明を実施した電子ウオレットサーバ１０２に入場管理サーバ装置通信手段１１を追加したものである。さらに、入場管理装置１０５として、電子ウオレットサーバ装置通信手段２００と端末装置通信手段２０４とチケット情報送受信手段２０１と入場許可情報送受信手段２０５と入場管理手段２０６から構成されるものである。
【０１５７】
図３６は、入場管理装置通信手段１１の構成の一例を示す図である。
入場管理装置通信手段１１は、１１１の読み取り電子チケット情報、１１２のチケット解析処理、１１３のチケット情報取得処理、１１４のチケット情報送信処理、１２１のチケット照合用情報、１２５の照合結果情報、１１５の照合結果受信処理、１１６の照合結果履歴登録処理、１１７の許可情報メッセージ作成、１１８の許可情報から構成される。
【０１５８】
読み取り電子チケット情報１１１は、携帯電話１００上の電子チケット情報を入場管理装置１０５が読み取った情報として入場管理装置１０５へ送信される。読み取られた情報は、チケット解析処理１１２にて照合するための情報として分解、復号化、解凍化される。
【０１５９】
チケット情報取得処理１１３では、チケット情報の解析が実施され、照合するための情報の取得が実施される。取得された照合するための情報は、チケット情報送信処理１１４に入力される。チケット情報送信処理１１４は、入力した照合するための情報をチケット照合用情報として整形する。整形したチケット照合用情報１２１は、電子ウオレットサーバ１０２へ送信する。
【０１６０】
チケット情報の照合が終了すると、照合結果情報１２５が送信される。１２５のデータは、照合結果受信処理１１５にて受信される。照合結果受信処理１１５は、照合結果の判別処理を実施する。処理実施後、照合結果をデータベース４５に登録するための処理である照合結果履歴登録処理１１６が実施される。
照合結果の履歴登録後、許可情報メッセージの作成処理１１７が実施され許可情報１１８として送信される。
【０１６１】
次に、電子ウオレットサーバ装置通信手段について説明する。
電子ウオレットサーバ装置通信手段２００は、実施の形態２で説明した処理に加え、図３８で示す処理を追加したものである。
図３８は、この実施の形態の電子ウオレットサーバ装置通信手段２００の構成の一例を示す図である。
図３８は、２００１３のチケット読み取り情報、２００９のチケット情報解析処理、２００１０の電子ウオレット装置選択処理、２００１１のデータベース管理処理、１１１の許可確認情報、８１１の許可依頼通知、２００１２の完了メッセージ作成処理、２００１４の許可メッセージである。
【０１６２】
チケット読み取り情報２００１３は、入場管理装置サーバが読み取ったチケット情報である。チケット情報は、チケット情報解析処理２００９に入力される。チケット情報解析処理２００９は、読み取られたチケット情報の復号化、解凍を実施しチケット情報の照合を行うための情報の抽出を行う。
【０１６３】
チケット情報解析処理２００９が終了後、電子ウオレット装置選択処理２００１０に入力される。
入力されたデータから照合を行うための電子ウオレット装置を選択を実施後、データベース管理処理２００１１に入力される。入力されたデータは、入場管理サーバのデータベース４５に一時蓄積され、許可確認要求情報１１１が送信される。
【０１６４】
許可確認要求情報１１１が送信されると、送信された情報から電子ウオレットサーバ１０２内で照合が実施され、許可依頼通知８１１が送信される。送信された許可依頼通知８１１は、一度、データベース管理処理２００１１で受信され、一時蓄積されていた電子チケット情報に許可情報を付加する処理が実施される。許可情報が付加が終了すると、完了メッセージ作成処理２００１２は、電子チケット情報は渡され、この情報に広告情報や案内情報を付加した完了メッセージが作成され、許可メッセージ２００１４として送信される。
【０１６５】
次に、入場管理サービスの動作について説明する。
図３７は、入場管理サービスの処理を示した図である。
図３７で１００は携帯電話、３０００１はチケット読み取り装置、３０００２は入場管理サーバ、１０２は電子ウオレットサーバである。チケット読み取り装置３０００１から携帯電話１００に対してＨ１のチケット情報の送信要求が送信される。携帯電話１００からチケット読み取り装置３０００１へＨ２のチケット情報の送信が実施される。チケット読み取り装置３０００１から入場管理サーバ３０００２へＨ３のチケット情報の送信が実施される。
【０１６６】
入場管理サーバ３０００２から電子ウオレットサーバ１０２に対してＨ４の照合要求が送信される。電子ウオレットサーバ１０２にて照合が実施されると、電子ウオレットサーバ１０２より入場管理サーバ３０００２に対してＨ５の照合結果が送信される。入場管理サーバ３０００２からチケット読み取り装置３０００１に対してＨ６の通行許可が送信される。チケット読み取り装置３０００１から携帯電話１００に対してＨ７の通行許可が送信される。
【０１６７】
このように、携帯電話上に蓄積された電子チケットを入場管理装置ならびに入場管理サーバ装置が自動的に読み取り、電子ウオレットサーバにて照合を実施し、携帯電話に通行許可を与えるものであったが、この処理は自動的に実施されるためのユーザはチケットを提示する必要はなく、さらに、チケットの番号などを知る必要はないため、入場に際してのわずわらしさを低減することが可能となる。
【０１６８】
さらに、入場管理サーバには自動的に集客された人数のデータを取り込むことが可能となり、入場管理の費用などを削減する効果がある。また、入場時に携帯電話に対して広告や注意事項などを送信することが可能となる効果もある。
【０１６９】
実施の形態６．
本実施の形態６では、図７のナビゲーションサービスについてその手段ならびに処理の流れを示し、その効果を説明するものである。
図７は、ナビゲーションサービスの構成図を示したものである。
図７で、携帯電話１００は、実施の形態２で説明した構成に４１の位置情報送受信手段を追加したものである。さらに、電子ウオレットサーバ１０２装置に地図情報作成手段１３を追加したものである。
【０１７０】
図３９は、位置情報送受信手段４１の構成の一例を示した図である。
図３９は、４１１の衛星からの位置情報、４１２の位置情報取得処理、４１４の電子ウオレットサーバ装置への位置情報送信、４１５の経路情報ならびに地図情報、４１６の経路情報受信処理、４１７の地図情報受信処理、４１８の画像表示で構成される。
【０１７１】
衛星からの位置情報４１１は、位置情報取得処理４１２にて受信される。位置情報取得処理４１２は、受信した衛星からの位置情報４１１により携帯電話１００の位置情報の計算処理を実施する。
携帯電話１００の位置情報の取得が完了すると、位置情報取得処理４１２は、取得された位置情報を位置情報送信処理４１３に入力する。入力した位置情報は、電子ウオレットサーバ１０２に送信するための情報として変換される。変換された情報は、電子ウオレットサーバへ位置情報送信４１４として送信される。
【０１７２】
電子ウオレットサーバ１０２では、送信された携帯電話１００の位置情報ならびに目的先の位置情報を基に、地図情報ならびに経路情報４１５をデータベース４５を検索して取得し、取得した地図情報ならびに経路情報４１５を送信する。送信された情報は、経路情報受信処理４１６、地図情報受信処理４１７でそれぞれ受信され、画像表示４１８へ送られる。
【０１７３】
次に、動作について説明する。
図４０は、ナビゲーションサービスの動作処理を説明したものである。
誘導装置１０４（人工衛星）からのＡＤ１の位置情報取得を実施した携帯電話１００は、電子ウオレットサーバ１０２に対してＡＤ２の位置情報ならびに目的地の位置情報の送信を実施する。位置情報を受信した電子ウオレットサーバ１０２は、地図情報ならびに経路情報を作成し、携帯電話１００にＡＤ３経路情報ならびに地図情報として送信する。携帯電話１００は、この処理を目的地到達まで繰り返し実施することにより目的地への到達を実施するものである。
【０１７４】
本発明では、ＧＰＳ機能をもった携帯電話を利用して、誘導装置である人工衛星からの位置情報を受信し、受信した位置情報と携帯電話内に保持された電子チケットの目的地の位置情報を電子ウオレットサーバに対して送信することによって、携帯電話をもったユーザを目的地へ導く仕組みを提供する。従って、ユーザの目的地までの支援を行うことで、ユーザの電子チケットの利用度をあげることを可能とする。さらに、携帯電話と電子ウオレットサーバとを組み合わせることで、携帯電話では処理することが困難でである経路情報の作成や地図情報の作成を簡易に実現し、ユーザに提供することが出来る。
【０１７５】
実施の形態７．
本実施の形態７では、個人決済サービスでの認証方法を従来型の認証ではなく、簡易認証にすることを特徴とする個人決済ポータルサービスでの電子チケットの処理方式の手段ならびに処理の流れを示し、その効果を説明するものである。
【０１７６】
図４１は、簡易認証を用いた決済方式を説明する図である。
図４１では、図１の電子ウオレットサーバ１０２をチケット販売店端末１０１に包含する。さらに、携帯電話１００のユーザは、チケットの購入のために、Ｃ１購入依頼をチケット販売店端末１０１に対して依頼実施する。
【０１７７】
チケットの購入を依頼されたチケット販売店端末１０１は、決済機関１０３に対してＣ２決済依頼を実施し、決済機関１０３から携帯電話１００に対してＣ３決済予告通知を送信する。携帯電話１００は、Ｃ３決済予告通知を受信し、Ｃ４決済ＯＫの通知を決済機関１０３に送信する。
【０１７８】
この図において、点線で囲まれた部分を自動化することで、決済に簡易化を実現する。そのために、携帯電話１００に図４２示す機能を設ける。
図４２は、返信応答自動化機能８０００１の一例を示す図である。
返信応答自動化機能は、携帯電話１００に備えられ、ユーザ１０９からの入力で返信応答の自動化を実現する機能を備えるものである。
【０１７９】
まず、Ｅ１でユーザ１０９からパスワードの入力を実施する。パスワードの入力が成功すると、Ｅ２で返信応答自動化機能８０００１よりユーザ１０９に対してパスワードＯＫの送信がされる。この状態でユーザは、Ｅ３の時刻情報の入力、Ｅ４の有効時間の入力、Ｅ５の店情報の入力、Ｅ６の上限金額の入力、Ｅ７の任意の文字列の入力を実施する。
【０１８０】
ここで、Ｅ３の時刻情報の入力は、返信応答自動化機能８０００１の返信応答自動化機能の有効性が開始される時間を示している。Ｅ４の有効時間は、返信応答自動化機能８０００１が開始されてから有効な時間を入力する。Ｅ５の店情報の入力では、返信応答自動化機能８０００１の返信応答自動化機能が有効になる場所の情報を入力する。Ｅ６の上限金額の入力では、返信応答自動化機能８０００１が決済可能な金額を入力する。
【０１８１】
次に、動作について説明する。
携帯電話１００を使用するユーザ１０９は、携帯電話内の返信応答自動化機能に対して次の手順にて入力を行う。例えば、今日は○○歌手のコンサートのチケットを購入したいと考える。しかし、今日は仕事があるので、コンサートのチケットの購入依頼は実施できても、購入に対しての決済依頼に返信することが出来ない。このような場合には、返信応答自動化機能８０００１を使用する。
【０１８２】
まず、ユーザは返信自動化機能８０００１に対して、機能開始時刻を１２：００と入力する。次に、ユーザは、機能の有効時間を１０時間と入力する。この入力を実施することで、１２：００から２２：００まで間に決済依頼通知が携帯電話にあった時には決済が行われることになる。さらに、ユーザは、決済依頼通知を発行する店情報の入力ならびに自動決済可能な金額を入力する。このことで、他の店や予算を超えるチケットを購入する危険を回避することが可能となる。さらに、ユーザが指定したい情報を任意の文字列として入力することで（例えば、コンサートチケット情報の中の○○歌手など）、さらに、ユーザが購入を意図したチケットの購入を実現することが可能となる。
【０１８３】
図４２に示した返信応答自動化機能は、図４１に示した方式において利用することに限られるわけではない。図４２に示した返信応答自動化機能は、図１，図４に示す電子チケット購入方式においても適用することができる。
携帯電話１００が、決済予告に返答する場合に必要となる情報（決済許可通知を生成する場合に必要となる情報）を、予め利用者によって入力することを促し、利用者によって入力された情報を携帯電話１００内に保持する。入力を促す情報は、上記返信応答自動化機能で説明した情報と同様である。このようにして、上記返信応答自動化機能を実現することができる。
【０１８４】
このように、電子チケットの購入ならびに決済を携帯電話のユーザに代わって携帯電話上の返信応答自動化機能にて実施することで、簡易決済を実現するものである。本機能は、電子チケットの購入での決済手続きのわずわらしさを削減し、ユーザの電子チケット購入サービスの利用を促進することが出来る。さらに、電子チケットの購入だけでなく、携帯電話を使用した対面販売などに利用することも可能である。
【０１８５】
実施の形態８．
実施の形態３においては、決済利用促進サービスでの電子チケットの処理方式は、サーバと決済機関の間のみであったが、これをサーバと決済機関の間にサーバを追加することと特徴とする。決済利用促進サービスでの処理方式を示し、その効果を説明するものである。
【０１８６】
図４３は、決済利用促進サービスでサーバを追加した構成図である。
図４３で、１００は携帯電話、１０２は電子ウオレットサーバ、１０２ｂは第２の電子ウオレットサーバ、１０３は決済機関である。
【０１８７】
図４３で、ＡＥ１はチケットの購入依頼、ＡＥ２は電子ウオレットサーバ１０２から第２の電子ウオレットサーバ１０２ｂへの決済依頼、ＡＥ３は決済機関１０３への決済依頼、ＡＥ４は決済機関１０３から第２の電子ウオレットサーバ１０２ｂへの決済予告、ＡＥ５は第２の電子ウオレットサーバ１０２ｂから電子ウオレットサーバ１０２への決済予告、ＡＥ６は電子ウオレットサーバ１０２から携帯電話１００への決済予告、ＡＥ７は携帯電話１００から電子ウオレットサーバ１０２への決済許可、ＡＥ８は電子ウオレットサーバ１０２から第２の電子ウオレットサーバ１０２ｂへの決済許可、ＡＥ９は第２の電子ウオレットサーバ１０２ｂから決済機関１０３への決済許可、ＡＥ１０は決済機関１０３から第２の電子ウオレットサーバ１０２ｂへの決済通知、ＡＥ１１は第２の電子ウオレットサーバ１０２ｂから電子ウオレットサーバ１０２の決済通知である。
【０１８８】
次に、動作について説明する。
携帯電話１００から、電子チケットの購入依頼ＡＥ１が実施されたときに、電子ウオレットサーバ１０２は、決済依頼を決済機関１０３に対して送信する。このとき、電子ウオレットサーバ１０２は、決済機関１０３の所在を知らない場合には、その決済依頼メッセージを第２の電子ウオレットサーバ１０２ｂに送信する（ＡＥ２）。ＡＥ２のメッセージを受信した第２の電子ウオレットサーバ１０２ｂは、このメッセージを決済機関１０３に転送する（ＡＥ３）。転送された決済依頼は、決済機関１０３で受信され決済予告が第２の電子ウオレットサーバ１０２ｂへ送信される（ＡＥ４）。第２の電子ウオレットサーバ１０２ｂは、携帯電話１００の所在を知らないため、電子ウオレットサーバ１０２へこのメッセージを転送する（ＡＥ５）。電子ウオレットサーバ１０２では、このメッセージを受信し、携帯電話１００へ転送する（ＡＥ６）。携帯電話１００では、決済予告に対して決済許可を電子ウオレットサーバ１０２へ送信する（ＡＥ７）。
【０１８９】
電子ウオレットサーバ１０２は、決済機関１０３を知らない場合には、その決済許可メッセージを第２の電子ウオレットサーバ１０２ｂに転送する（ＡＥ８）。第２の電子ウオレットサーバ１０２ｂは、決済機関１０３に対して決済許可メッセージを送信する（ＡＥ９）。決済機関１０３は、決済を実施し、決済通知を第２の電子ウオレットサーバ１０２ｂへ送信する（ＡＥ１０）。第２の電子ウオレットサーバ１０２ｂは、電子ウオレットサーバ１０２に決済通知を転送する（ＡＥ１１）。
【０１９０】
このように、この発明の電子ウオレットサーバ間でのメッセージの転送機能によれば、電子ウオレットサーバが決済機関の所在を知らない場合でも、決済機関の所在を知っている電子ウオレットサーバへメッセージの転送を行うことが可能であれば、決済を可能とする効果がある。
【０１９１】
また、電子ウオレットサーバは、決済メッセージを中継することが出来るため、決済機関へのメッセージを確実に送信することが出来る。
【０１９２】
実施の形態９．
実施の形態４においてのマーケティング情報サービスでの電子チケットの処理方式は、サーバ上の電子チケット購入情報などを管理して個人向け情報を事業者に提供するものであったが、これをサーバ上の情報と事業者から予め予約された情報を組み合わせることを特徴とするマーケティング情報サービスでの処理方式ならびに効果について説明する。
【０１９３】
図４４は、本発明を説明するマーケティング情報サービスの構成の一例を示す図である。
１００は携帯電話、１０１はチケットショップ、１０２は電子ウオレットサーバである。ＡＦ１は、取得したい情報の予約、ＡＦ２はチケットの購入、ＡＦ３は購入履歴情報と予約情報である。
【０１９４】
次に、動作について説明する。
ＡＦ１は、チケット販売店が電子ウオレットサーバ１０２に対して取得したい情報について予約する処理を示している。チケット販売店は、電子ウオレットサーバに対して、例えば、１日あたりのチケット購入者数ならびにチケット売れ筋１位から１０位までの情報を予約したとすると、電子ウオレットサーバが指定された時刻にチケット販売店に情報を通知する。ＡＦ２は携帯電話１００のユーザからのチケットの購入を示している。この処理では、電子ウオレットサーバ１０２にて購入者の購入情報が蓄積され、マーケティング情報としてチケット販売店にフィードバックされる情報となる。ＡＦ３では、チケット販売店に対しての購入者履歴情報と予め予約された情報を送信する処理を示している。
【０１９５】
このように、この発明であるマーケティング情報サービスでのチケット販売店が予め予約したマーケティング情報を提供する実施の形態９によれば、チケット販売店は、電子ウオレットサーバに対してのチケット情報の登録を予め取得予約された購入者情報から確認実施、売れ残る可能性の高いチケット情報に対しては、そのチケット情報の登録を控え、また、チケットの売上が伸びる傾向があるチケット情報に対しては、積極的にチケット情報の登録を実施することが可能となる。さらに、電子ウオレットサーバからの情報に対してチケット販売店は、チケット販売店毎の選択された情報の取得が可能となる。
【０１９６】
実施の形態１０．
実施の形態６においてのナビゲーションサービスでの電子チケット処理方式は、ユーザに場所情報（経路情報ならび地図情報）を提供するものであったが、これをサーバより複数の携帯電話の場所情報を提供することを特徴とするナビゲーションサービスでの電子チケット処理方式ならびにその効果について説明する。
【０１９７】
図４５は、本発明であるナビゲーションサービスでの構成の一例を示す図である。
図４５は、１００ａは携帯電話Ａ、１００ｂは携帯電話Ｂ、１００ｃは携帯電話Ｃ、電子ウオレットサーバ１０２、ＡＤ１位置情報の取得、ＡＤ２位置情報の送信、ＡＤ３経路情報ならびに地図情報の送信で構成される。
【０１９８】
携帯電話Ａ１００ａ、携帯電話Ｂ１００ｂ、携帯電話Ｃ１００ｃは、それぞれ、誘導装置（人工衛星）より位置情報の取得を行う。（ＡＤ１）位置情報の取得を行った携帯電話Ａ、携帯電話Ｂ、携帯電話Ｃは夫々、電子ウオレットサーバ１０２に対して携帯電話の位置情報ならびに保持している電子チケットを使用する会場の位置情報を送信する。（ＡＤ２）電子ウオレットサーバ１０２は送信された携帯電話の位置情報ならびに目的地点の位置情報から経路情報ならびに地図情報を作成して、携帯電話Ａ１００ａ、携帯電話Ｂ１００ｂ、携帯電話Ｃ１００ｃに送信するが、このときに、それぞれの携帯電話Ａ１００ａ、携帯電話Ｂ１００ｂ、携帯電話Ｃ１００ｃの位置情報を含めた情報を送信する。
【０１９９】
送信された経路情報ならびに地図情報には、携帯電話Ａ１００ａ、携帯電話Ｂ１００ｂ、携帯電話Ｃ１００ｃの位置情報が示される。このため、予め携帯電話の電話番号などのユニークなＩＤを登録しておくことで、友人の位置の確認などを簡単に行うことが可能となる。
【０２００】
さらに、電子ウオレットサーバから位置情報ならびに地図情報を広い範囲で確認を行うことで、遠く離れた携帯電話Ａ１００ａ、携帯電話Ｂ１００ｂ、携帯電話Ｃ１００ｃの位置を確認することも可能である。
【０２０１】
このように、この発明のナビゲーションサービスに他の携帯電話の位置情報を表示するという機能を追加することで、例えば、同じコンサートに行くメンバーと合流することや、明確な待ち合わせ場所を指定しないでグループで行動することが可能になるといった効果がある。
また、友人同士の携帯電話の番号を予めグループ化して同一のグループの携帯電話の位置情報のみを表示することで、グループ間での行動をスムーズに行うことが可能となる。
【０２０２】
実施の形態１１．
実施の形態９において、マーケティング情報サービスは、サーバ上の情報と事業者から予め予約された情報を組み合わせることであったが、これをサーバ上の情報と事業者からの情報に対して、個人の情報を追加することを特徴とするマーケティング情報サービスでの処理方式ならびに効果について説明する。
【０２０３】
図４６は、実施の形態１１を示すマーケティング情報サービスの構成の一例を示す図である。
図４６で、１００は携帯電話、１０１はチケットショップ（チケット販売店端末）、１０２は電子ウオレットサーバである。
ＡＧ１は取得したい情報の予約、ＡＧ２は個人の嗜好情報の登録、ＡＧ３は予約情報ならびに嗜好情報である。
【０２０４】
ＡＧ１はチケット販売店が取得したい情報を予め電子ウオレットサーバ１０２に登録することを示している。また、ＡＧ２は携帯電話１００をもったユーザの嗜好情報を予め電子ウオレットサーバ１０２に登録しておくことを示している。ＡＧ３はユーザの嗜好情報ならびに取得を要求していた情報をチケットショップ１０１が取得することを示している。
【０２０５】
このように、この発明の実施の形態１１によれば、チケット販売店が予め予約しておいた情報にあわせて、チケットを購入したいユーザの嗜好情報を電子ウオレットサーバを通して取得することが可能となる。このために、チケット販売店は、チケット販売店が購入するチケット情報に対して消費者の好みにあったチケットを用意することが可能となる。
【０２０６】
実施の形態１２．
実施の形態２においては、個人決済ポータルサービスは、電子チケット情報をサーバ上に保持していたが、これを携帯電話上にある電子チケットＰＵＳＨ用クライアントソフトウエアを用いて電子チケットを保持しているサーバ上に周期的に接続をはかり、サーバプッシュによって送信された電子チケット情報を取得することを特徴とする個人決済ポータルサービスでの電子チケットの処理方式ならびに発明の効果について説明する。
【０２０７】
図４７は、電子チケットのＰＵＳＨ方式の構成の一例を示す図である。
図４７で１００ｄは携帯電話Ａならびに携帯電話上のＰＵＳＨ用クライアントソフトである。１００ｅは携帯電話Ｂならびに携帯電話上のＰＵＳＨ用クライアントソフト、１００ｆは携帯電話Ｃならびに携帯電話上のＰＵＳＨ用クライアントソフト、１０２は電子ウオレットサーバである。
【０２０８】
次に、動作について説明する。
携帯電話Ａ上のＰＵＳＨ用クライアントソフトウエア１００ｄは、周期的に電子ウオレットサーバ１０２に対して接続を実施する。（ＡＨ１）１００ｅならびに１００ｆも同様である。このとき、電子ウオレットサーバ１０２上からサーバプッシュによって電子チケット情報は、１００ｄならびに１００ｅならびに１００ｆに送信される。
上記では、携帯電話１００は、周期的（定期的）に電子ウオレットサーバ１０２へアクセスする場合を説明したが、必ずしも周期的でなくてもよい。例えば、携帯電話１００は、チケット参照情報の送信を要求する参照情報送信要求を生成し、生成した参照情報送信要求を電子ウオレットサーバ１０２へ送信し、チケット参照情報を取得する場合であってもよい。
【０２０９】
このように、この発明の実施の形態１２によれば、携帯電話１００上のＰＵＳＨ用クライアントソフト上ウエアが周期的に電子ウオレットサーバ１０２に接続を計ることで、電子チケット情報をサーバから携帯電話に送信することができるという効果がある。
【０２１０】
実施の形態１３．
実施の形態１２においては、携帯電話上にある電子チケットＰＵＳＨ用クライアントソフトウエアを用いて、電子チケットを保持しているサーバ上に周期的に接続をはかるのみであったが、これを電子チケットＰＵＳＨ用クライアントソフトがサーバ上に周期的に接続をはかるときにクライアントソフト側からスケジュール情報（予定のない日など）や場所情報（使用可能な駅など）や電子チケットを購入可能な上限金額等を含む購入条件を送信することを特徴とする個人決済ポータルサービスでの電子チケットの処理方式と、この方式の効果について説明する。
【０２１１】
図４８は、実施の形態１３の電子チケットのＰＵＳＨ方式の構成の一例を示す図である。
図４８は、１００ｄの携帯電話ならびに携帯電話上のＰＵＳＨ型クライアントソフト、１００ｅの携帯電話ならびに携帯電話上のＰＵＳＨ型クライアントソフト、１００ｇの携帯電話ならびに携帯電話上のＰＵＳＨ型クライアントソフト、１０２の電子ウオレットサーバから構成される。
【０２１２】
次に、動作について説明する。
本発明では、携帯電話１００ｄ上のＰＵＳＨ型クライアントソフトは周期的に電子ウオレットサーバ１０２に対して接続を行う（ＡＨ１）。１００ｅ，１００ｇについても同様に、周期的接続を実施している。さらに、周期的に接続を実施中に、電子ウオレットサーバ１０２に対してスケジュール情報や場所情報や電子チケット購入可能な上限金額などのクライアント情報を送信する（ＡＨ３）。
図４８では、携帯電話ならびに携帯電話上のＰＵＳＨ型クライアントソフト１００ｇがクライアント情報の送信ＡＨ３を送信する場合を示している。
【０２１３】
また、携帯電話１００は、必ずしも周期的（定期的）に電子ウオレットサーバ１０２へ接続する場合でなくてもよい。携帯電話は、チケット参照情報の送信の要求と、購入条件とを含む参照情報送信要求を生成し、生成した参照情報送信要求を電子ウオレットサーバ１０２へ送信してもよい。
例えば、下記のような動作であっても構わない。
電子ウオレットサーバ１０２は、上記参照情報送信要求を受信し、上記参照情報送信要求から購入条件を抽出し、抽出した購入条件に基づいて、データベース４５を検索してチケット参照情報を生成し、生成したチケット参照情報を携帯電話１００へ送信する。
【０２１４】
このように、この発明の実施の形態１３によれば、携帯電話ならびに携帯電話上のＰＵＳＨ型クライアントソフト１００ｄ，１００ｅ，１００ｆが電子ウオレットサーバ１０２へ周期的に接続を計る時間を利用して電子ウオレットサーバへ個人の嗜好情報や個人データを送信することが可能となる効果がある。
【０２１５】
実施の形態１４．
実施の形態１３においては、携帯電話上にある電子チケットＰＵＳＨ用クライアントソフトウエアを用いて電子チケットを保持しているサーバ上に周期的に接続をはかり、クライアント側情報を送信していたが、これを電子チケットＰＵＳＨ用クライアントソフトがサーバに対してクライアント情報を送信時に電子チケット情報が送信されてきたときに、電子チケット情報を優先的に受信する電子チケットの処理方式ならびに発明の効果について説明する。
【０２１６】
図４９は、実施の形態１４の電子チケットＰＵＳＨ方式の構成の一例を示す図である。
図４９は、１００ｈは携帯電話ならびに携帯電話上のＰＵＳＨ型クライアントソフト（以下、「携帯電話１００ｈ」と記す）、電子ウオレットサーバ１０２から構成される。
【０２１７】
次に、動作について説明する。
ＡＨ１は携帯電話１００ｈから電子ウオレットサーバ１０２への周期的接続を示す。この周期的接続中に、ＡＨ２のクライアント側情報の送信を行う。ＡＨ２の処理中にＡＨ３の電子チケット情報の送信（ＰＵＳＨ）が発生した場合には、携帯電話１００ｈ上のＰＵＳＨ型クライアントソフトは、ＡＨ２のクライアント側情報の送信を行っていたセッションをプールし、予めスプールしていたセッションにて電子チケット情報の受信を実施する。電子チケット情報の受信中には、プールされていたセッションは開放される。クラインアント側の情報の送信は、電子チケット情報の受信が終了した後、電子チケット情報の受信に使用していたセッションを使用して、再度セッションが確立したのち再送される。
【０２１８】
このように、この発明の実施の形態１４によれば、携帯電話１００ｈ上のＰＵＳＨ型クライアントソフトがクライアント情報を送信中に電子チケット情報がＰＵＳＨされた場合には、電子チケット情報の受信を優先的に実施し、電子チケット情報の受信終了後に速やかにクライアント側情報の送信を行うことが出来るため、電子チケットのサーバ側からの送信に対して速やかに受信することが可能となる。
【０２１９】
実施の形態１５．
実施の形態１４においては、携帯電話上にある電子チケットＰＵＳＨ用クライアントソフトウエアを用いてクライアント情報を送信時に電子チケット情報が送信されてきたときに、電子チケット情報を優先的に受信する方式であったが、これを電子チケットを保持しているサーバ上で複数の携帯電話上の電子チケットＰＵＳＨ用クライアントソフトに電子チケット情報を送信中に電子チケットＰＵＳＨ用クライアントソフトからクライアント情報が送信されてきたときに、優先的にクライアント情報を受信する電子チケットの処理方式と発明の効果について説明する。
【０２２０】
図５０は、実施の形態１５の電子チケットＰＵＳＨ方式の構成図である。
図５０で、１００ｉは携帯電話Ａならびに携帯電話上のＰＵＳＨ型クライアントソフト（以下、「携帯電話１００ｉ」と記す）、１００ｊは携帯電話Ｂならびに携帯電話上のＰＵＳＨ型クライアントソフト（以下、「携帯電話１００ｊ」と記す）、１０２は電子ウオレットサーバである。
【０２２１】
携帯電話Ａ１００ｉ上のＰＵＳＨ型クライアントソフトは、周期的に電子ウオレットサーバ１０２に対して接続を行う。電子ウオレットサーバ１０２より電子チケット情報が携帯電話Ａ１００ｉならびに携帯電話Ｂ１００ｊに送信されてきたときには、ＰＵＳＨ型クライアントソフトは電子チケット情報を受信する。この状態で、サーバ側に携帯電話Ｂ１００ｊからクライアント情報の送信が実施されたときには、電子ウオレットサーバ１０２は、携帯電話Ｂ１００ｊへの電子チケット情報の送信を停止し、クライアント側情報の受信を優先する。クライアント側情報の送信が携帯電話Ｂ１００ｊにて終了後、電子ウオレットサーバ１０２からの電子チケットの再送が開始される。
【０２２２】
以上のように、この発明の実施の形態１５によれば、電子ウオレットサーバ１０２から電子チケット情報を送信中に、携帯電話１００ｊ上のＰＵＳＨ型クライアントソフトからクライアント情報の送信があったときには、電子チケットの電子ウオレットサーバ１０２からの電子チケットの送信を停止することが可能となる。また、クライアント情報の変更があった場合には、電子ウオレットサーバ側で即座に対応ができる。
【０２２３】
実施の形態１６．
上記実施の形態では、利用者が利用する利用者端末の一例として携帯電話を用いて説明したが、利用者端末は、携帯電話に限られることはない。利用者端末は、パーソナルコンピュータ、モバイル端末、加入電話、等、利用者が通信網を介して電子ウオレットサーバ１０２と通信できる端末であれば、その他の端末を用いてもかまわない。ただし、移動ができない端末では、入場管理サービスを受けられない点を考慮する必要はある。
【０２２４】
実施の形態１７．
上記電子チケット処理方式及び方法、電子ウオレットサーバの機能は、計算機（中央演算処理装置の機能を備えている端末であれば含まれる）を用いてプログラムによって実現することが可能である。上記プログラムは、計算機で読み取り可能な記録媒体に記録することが可能である。さらに、上記プログラムは、通信網を介して、転送することも可能である。上記プログラムは、計算機へロードされ、中央演算処理装置によって実行される。
【０２２５】
【発明の効果】
この発明の個人決済ポータルサービスによれば、チケット情報の管理、チケット情報の登録、チケット購入情報の管理、決済情報の管理などを実施することによって、チケット販売店がチケットの販売に要する費用を削減することができる。
【０２２６】
また、この発明の決済利用促進サービスによれば、決済機関は、利用者（携帯電話）へ決済の確認をする必要がなくなるため、確認費用を削減することができる。
【０２２７】
この発明のマーケティング情報サービスによれば、チケットの販売情報や、利用者の嗜好の情報を取得することができるので、需要が見込めるチケットを供給することが可能になり、チケットの売れ残りなどのロスを防止することができる。
【０２２８】
この発明の入場管理サービスによれば、電子チケットを利用することで施設入場方チケットチェックのデマを削減することができるとともに、利用者の携帯電話へ広告等のメッセセージの送付をすることができる。
【０２２９】
この発明のナビゲーションサービスによれば、利用者の存在する位置と、施設との間の場所情報を提供することができる。
【０２３０】
また、携帯電話上の返信応答自動化機能によれば、決済手続のわずらわしさを削減し、ユーザの電子チケット購入サービスの利用度を促進することができる。
【０２３１】
決済サーバを備えることにより、電子ウオレットサーバが決済機関の所在を知らない場合でも、決済サーバを介して、所定の決済期間へ決済を依頼することができる。
【０２３２】
また、電子ウオレットサーバは、データベースに、チケットの販売状況を蓄積し、チケット販売店に提供することにより、チケット販売店は、チケット販売状況により、電子ウオレットサーバへ提供するチケット販売情報、チケット登録情報を売上の見込める情報に変更することができる。
【０２３３】
ナビゲーションサービスに他の携帯電話の位置情報を示す機能を備えることにより、グループで行動する仲間同士の行動をスムーズに行うことが可能になる。
【０２３４】
また、電子ウオレットサーバは、データベースに利用者に関する嗜好情報、チケットの購入実績、決済状況等を蓄積しているため、チケット販売店に対してチケット販売に有効な情報を提供することが可能となり、チケット販売店は、利用者の嗜好等に対応するチケット販売情報を提供することができる。
【０２３５】
また、携帯電話上のＰＵＳＨ用クライアントソフトウェアが周期的に電子ウオレットサーバへ接続することにより、利用者は、定期的にチケット参照情報を取得することができる。
【０２３６】
さらに、携帯電話上のＰＵＳＨ用クライアントソフトウェアが周期的に電子ウオレットサーバへ接続することにより、利用者の個人データ、嗜好情報等を定期的に電子ウオレットサーバへ送信することができる。
【０２３７】
また、周期的な電子ウオレットサーバへのアクセス時に、データの送受信に優先順位をつけることにより、送受信される情報に対して、速やかに対応することができる。
【図面の簡単な説明】
【図１】  この発明での電子チケット購入方式の処理の流れを示す電子チケットモデル構成図の一例である。
【図２】  電子チケットを購入ならびに電子チケットが処理される概要図。
【図３】  図１で示された電子チケットモデルを構成する個人決済ポータルサービスの構成図。
【図４】  図１で示された電子チケットモデルを構成する決済利用促進サービスの構成図。
【図５】  図１で示された電子チケットモデルを構成するマーケティング情報サービスの構成図。
【図６】  図１で示された電子チケットモデルを構成する入場管理サービスの構成図。
【図７】  図１で示された電子チケットモデルを構成するナビゲーションサービスの構成図。
【図８】  電子ウオレットサーバ１０２に備えられるデータベース４５の構成の一例を示す図である。
【図９】  チケット参照情報テーブル４５１に含まれる情報の一例を表した図である。
【図１０】  管理用情報テーブル４５２に含まれる情報の一例を表した図である。
【図１１】  チケットタイプ用テーブル４５３に含まれる情報の一例を表した図である。
【図１２】  チケット決済用テーブル４５４に含まれる情報の一例を表した図である。
【図１３】  販売チケット管理用テーブル４５５に含まれる情報の一例を表した図である。
【図１４】  購入者用管理テーブル４５６に含まれる情報の一例を表した図である。
【図１５】  購入履歴情報用管理テーブル４５７に含まれる情報の一例を表した図である。
【図１６】  チケット本体情報管理テーブル４５８に含まれる情報の一例を表した図である。
【図１７】  システム管理用情報テーブル４５９に含まれる情報の一例を表した図である。
【図１８】  チケット操作履歴用テーブル４６０に含まれる情報の一例を表した図である。
【図１９】  チケット情報送受信手段の構成の一例を示す図。
【図２０】  チケット購入情報送信手段２の構成の一例を示した図。
【図２１】  決済許可通知送信手段の構成の一例を示した図。
【図２２】  端末装置通信手段１０の構成の一例を示した図。
【図２３】  チケット情報登録手段４の構成の一例を示した図。
【図２４】  チケット情報送信手段５の構成の一例を示した図。
【図２５】  決済購入情報送受信手段６（購入情報送受信部）の構成の一例を示した図。
【図２６】  チケット販売店サーバ通信手段７の構成の一例を示した図。
【図２７】  電子ウオレットサーバ装置通信手段２００の構成の一例を示した図。
【図２８】  個人決済ポータルサービスの認証過程を示したものである。
【図２９】  個人決済ポータルサービスでの参照処理の動作の一例を示す図。
【図３０】  個人決済ポータルサービスでの購入処理の動作の一例を示した図。
【図３１】  決済利用促進サービスの情報の流れの一例を示した図。
【図３２】  決済機関サーバ装置通信手段８の構成の一例を示す図。
【図３３】  電子ウオレットサーバ装置通信手段２００の構成の一例を示す図。
【図３４】  チケット情報管理手段９の構成の一例を示した図。
【図３５】  マーケティング情報サービスを利用する手順の一例を示す図。
【図３６】  入場管理装置通信手段１１の構成の一例を示す図。
【図３７】  入場管理サービスの処理を示した図。
【図３８】  この実施の形態の電子ウオレットサーバ装置通信手段２００の構成の一例を示す図。
【図３９】  位置情報送受信手段４１の構成の一例を示した図。
【図４０】  ナビゲーションサービスの動作処理を説明したものである。
【図４１】  簡易認証を用いた決済方式を説明する図。
【図４２】  返信応答自動化機能８０００１の一例を示す図。
【図４３】  決済サーバを追加した決済利用促進サービスの構成の一例を示す図。
【図４４】  本発明を説明するマーケティング情報サービスの構成の一例を示す図。
【図４５】  本発明であるナビゲーションサービスでの構成の一例を示す図。
【図４６】  実施の形態１１を示すマーケティング情報サービスの構成の一例を示す図。
【図４７】  電子チケットのＰＵＳＨ方式の構成の一例を示す図。
【図４８】  実施の形態１３の電子チケットのＰＵＳＨ方式の構成の一例を示す図。
【図４９】  実施の形態１４の電子チケットＰＵＳＨ方式の構成の一例を示す図。
【図５０】  実施の形態１５の電子チケットＰＵＳＨ方式の構成図。
【図５１】  電子チケットを使用しないでコンサートやイベントのチケットを購入する従来の手順の一例を示した図。
【符号の説明】
１  チケット情報送受信手段、２  チケット購入情報送信手段、３  チケット決済用許可情報送信手段、４  チケット情報登録手段、５  チケット情報送信手段、６  決済購入情報送受信手段、７  チケット販売店サーバ装置通信手段、８決済機関サーバ装置通信手段、９  チケット情報管理手段、１０  端末装置通信手段、１１  入場管理サーバ装置通信手段、１２  チケット情報照合手段、１３  地図情報作成手段、１４  チケット情報送信処理、１５  ブラウザ出力処理、１６  画面表示、１７  チケットＩＤ、２１  選択情報、２２  パスワード処理、２３  パスワード情報、２４  認証要求処理、２５  個人認証情報、２６  購入データ送信処理、２７  チケット購入データ、４１  位置情報送受信手段、４２  チケット参照用情報解析処理、４６  チケット参照用の情報（チケット参照情報）、５１  チケット登録情報、５２  チケット登録情報解析処理、６１  購入問い合わせ情報、６２  購入情報解析処理、６３  購入用情報用メッセージ作成処理、６４  購入情報用メッセージ送信処理、６５  購入用メッセージの送信、６６  購入許可情報、６７  チケット購入用情報受信処理、６８  チケット購入履歴登録処理、６９  チケット購入用情報送信処理、７１  登録・変更通知情報、７２  登録変更情報変換処理、７３  登録情報変更通知処理、７４  変更通知情報、７５  チケット登録情報、７６  登録情報変換処理、７７  登録情報変更通知処理、８１，８５  決済許可確認情報、８２  決済情報管理処理、８３決済情報登録処理、８４  決済情報送信処理、８６  決済許可通知情報、８７決済許可情報管理処理、８８  決済許可情報登録処理、８９  決済情報送信処理、９１  チケット管理情報、９２  チケット管理情報解析処理、９３  チケット管理情報構築処理、９４  チケット管理情報送信処理、９５  チケット制御情報、９６  データベース情報、９７  データベース情報解析処理、９８  マーケティング情報構築処理、９９  マーケティング情報送信処理、１００  携帯電話、１００ａ  携帯電話Ａ、１００ｂ  携帯電話Ｂ、１００ｃ  携帯電話Ｃ、１００ｈ  携帯電話ならびに携帯電話上のＰＵＳＨ型クライアントソフト、１００ｉ携帯電話Ａならびに携帯電話上のＰＵＳＨ型クライアントソフト、１００ｊ  携帯電話Ｂならびに携帯電話上のＰＵＳＨ型クライアントソフト、１０１  チケット販売店端末、１０２  電子ウオレットサーバ、１０２ｂ  第２の電子ウオレットサーバ、１０３  決済機関、１０４  誘導装置、１０５  入場管理装置、１１１  読み取り電子チケット情報、１１２  チケット解析処理、１１３  チケット情報取得処理、１１４  チケット情報送信処理、１１５  照合結果受信処理、１１６  照合結果履歴登録処理、１１７  許可情報メッセージ作成、１１８  許可情報、１２１  チケット照合用情報、１２５  照合結果情報、１９１  チケット情報、１９２  チケット購入情報、１９３  チケット情報解析処理、１９４  圧縮／解凍処理、１９５  暗号／復号化処理、１９６  データ結合処理、１９７チケット情報送信処理、１９８  チケット購入情報、１９９  チケット購入情報解析処理、２００  電子ウオレットサーバ装置通信手段、２０１  チケット情報送受信手段、２０２  決済情報送受信手段、２０５  入場許可情報送受信手段、２０６  入場管理手段、２０７  位置情報送信手段、３００  電話端末装置、４００  チケットカウンターならびに店、４１１  衛星からの位置情報、４１２位置情報取得処理、４１４  電子ウオレットサーバ装置への位置情報送信、４１５  経路情報ならびに地図情報、４１６  経路情報受信処理、４１７  地図情報受信処理、４１８  画像表示、５００  ユーザ、６００  コンビニエンスストアーならびに店、６１０  購入許可情報、８１０  決済許可情報（決済許可通知）、８１１  許可依頼通知、９１０  マーケティング情報、１０１０  圧縮／解凍処理、１０１１  暗号／復号化処理、１０１２  データ結合処理、２００１  チケット情報、２００２  チケット情報解析処理、２００３  電子ウオレット装置選択処理、２００４  データベース管理処理、２００５  変更メッセージ作成処理、２００６  変更メッセージの送信、２００７  決済情報、２００８  決済終了情報、２００９  決済情報解析処理、２０１０  電子ウオレット装置選択処理、２０１１  データベース管理処理、２０１２  完了メッセージ作成処理。
【図１】
0004398104.tif 000002
【図２】
0004398104.tif 000003
【図３】
0004398104.tif 000004
【図４】
0004398104.tif 000005
【図５】
0004398104.tif 000006
【図６】
0004398104.tif 000007
【図７】
0004398104.tif 000008
【図８】
0004398104.tif 000009
【図９】
0004398104.tif 000010
【図１０】
0004398104.tif 000011
【図１１】
0004398104.tif 000012
【図１２】
0004398104.tif 000013
【図１３】
0004398104.tif 000014
【図１４】
0004398104.tif 000015
【図１５】
0004398104.tif 000016
【図１６】
0004398104.tif 000017
【図１７】
0004398104.tif 000018
【図１８】
0004398104.tif 000019
【図１９】
0004398104.tif 000020
【図２０】
0004398104.tif 000021
【図２１】
0004398104.tif 000022
【図２２】
0004398104.tif 000023
【図２３】
0004398104.tif 000024
【図２４】
0004398104.tif 000025
【図２５】
0004398104.tif 000026
【図２６】
0004398104.tif 000027
【図２７】
0004398104.tif 000028
【図２８】
0004398104.tif 000029
【図２９】
0004398104.tif 000030
【図３０】
0004398104.tif 000031
【図３１】
0004398104.tif 000032
【図３２】
0004398104.tif 000033
【図３３】
0004398104.tif 000034
【図３４】
0004398104.tif 000035
【図３５】
0004398104.tif 000036
【図３６】
0004398104.tif 000037
【図３７】
0004398104.tif 000038
【図３８】
0004398104.tif 000039
【図３９】
0004398104.tif 000040
【図４０】
0004398104.tif 000041
【図４１】
0004398104.tif 000042
【図４２】
0004398104.tif 000043
【図４３】
0004398104.tif 000044
【図４４】
0004398104.tif 000045
【図４５】
0004398104.tif 000046
【図４６】
0004398104.tif 000047
【図４７】
0004398104.tif 000048
【図４８】
0004398104.tif 000049
【図４９】
0004398104.tif 000050
【図５０】
0004398104.tif 000051
【図５１】
0004398104.tif 000052